(57)【要約】【課題】非地上局装置と地上の端末装置との間で行われる通信の無線リンク品質を向上させることが可能な仕組みを提案する。【解決手段】衛星局装置として構成された基地局装置であって、前記基地局装置に関する情報に基づいて、端末装置から前記基地局装置への信号の送信に用いられる送信パラメータに関する設定情報を前記端末装置に送信する制御部、を備える基地局装置。【選択図】図１３
2019097855.tif 000002
【特許請求の範囲】
【請求項１】
衛星局装置として構成された基地局装置であって、
前記基地局装置に関する情報に基づいて、端末装置から前記基地局装置への信号の送信に用いられる送信パラメータに関する設定情報を前記端末装置に送信する制御部、
を備える基地局装置。
【請求項２】
前記送信パラメータは、前記基地局装置の位置の予測に基づいて決定される、請求項１に記載の基地局装置。
【請求項３】
前記送信パラメータは、前記信号が前記基地局装置により受信されると予測される時刻における前記基地局装置の位置の予測に基づき決定される、請求項２に記載の基地局装置。
【請求項４】
前記設定情報は、前記送信パラメータを含む、請求項１に記載の基地局装置。
【請求項５】
前記設定情報は、送信時間を示す情報と当該送信時間において使用すべき前記送信パラメータとの対応付けを複数含む、請求項４に記載の基地局装置。
【請求項６】
前記設定情報は、前記端末装置ごとに送信される、請求項５に記載の基地局装置。
【請求項７】
前記設定情報は、送信時間を示す情報及び送信位置を示す情報と当該送信時間及び当該送信位置において使用すべき前記送信パラメータとの対応付けを複数含む、請求項４に記載の基地局装置。
【請求項８】
前記設定情報は、複数の前記端末装置へ報知される、請求項７に記載の基地局装置。
【請求項９】
前記設定情報は、前記基地局装置の位置情報及び軌道情報を含む、請求項１に記載の基地局装置。
【請求項１０】
前記送信パラメータは、タイミングアドバンス値を含む、請求項１に記載の基地局装置。
【請求項１１】
前記送信パラメータは、ビームトラッキングに関するパラメータを含む、請求項１に記載の基地局装置。
【請求項１２】
前記送信パラメータは、送信電力、ＭＣＳ（Modulation  and  Coding  Scheme）、レイヤ数、繰り返し送信回数、又はリソースブロックの少なくともいずれかを含む、請求項１に記載の基地局装置。
【請求項１３】
前記設定情報は、前記基地局装置の位置情報及び軌道情報に基づいて生成される、請求項１に記載の基地局装置。
【請求項１４】
前記設定情報は、前記端末装置から前記基地局装置へ送信される測定用信号に基づいて生成される、請求項１に記載の基地局装置。
【請求項１５】
衛星局装置として構成された基地局装置に関する情報に基づく設定情報であって、端末装置から前記基地局装置への信号の送信に用いられる送信パラメータに関する前記設定情報を取得し、前記設定情報に応じた前記送信パラメータを用いて前記信号の送信を行う制御部と、
を備える端末装置。
【請求項１６】
前記設定情報は、送信時間を示す情報と当該送信時間において使用すべき前記送信パラメータとの対応付けを複数含み、
前記制御部は、前記設定情報において、前記信号の送信時間に対応付けられた前記送信パラメータを用いて、前記信号を送信する、請求項１５に記載の端末装置。
【請求項１７】
前記設定情報は、送信時間を示す情報及び送信場所を示す情報と当該送信時間及び当該送信場所において使用すべき前記送信パラメータとの対応付けを複数含み、
前記制御部は、前記設定情報において、前記信号の送信時間及び送信場所に対応付けられた前記送信パラメータを用いて、前記信号を送信する、請求項１５に記載の端末装置。
【請求項１８】
前記設定情報は、前記基地局装置の位置情報及び軌道情報を含み、
前記制御部は、前記基地局装置の位置情報及び軌道情報に基づいて前記送信パラメータを決定する、請求項１５に記載の端末装置。
【請求項１９】
前記制御部は、前記端末装置の位置情報にさらに基づいて前記送信パラメータを決定する、請求項１５に記載の端末装置。
【請求項２０】
衛星局装置として構成された基地局装置により実行される方法であって、
前記基地局装置に関する情報に基づいて、端末装置から前記基地局装置への信号の送信に用いられる送信パラメータに関する設定情報を前記端末装置に送信すること、
を含む方法。
【発明の詳細な説明】
【技術分野】
【０００１】
本開示は、基地局装置、端末装置及び方法に関する。
【背景技術】
【０００２】
セルラー移動通信の無線アクセス方式及び無線ネットワーク（以下、「Long  Term  Evolution（LTE）」、「LTE-Advanced（LTE-A）」、「LTE-Advanced  Pro（LTE-A  Pro）」、「New  Radio（NR）」、「New  Radio  Access  Technology（NRAT）」、５Ｇ、「Evolved  Universal  Terrestrial  Radio  Access（EUTRA）」、又は「Further  EUTRA（FEUTRA）」とも称する。）が、第三世代パートナーシッププロジェクト（3rd  Generation  Partnership  Project:  3GPP）において検討されている。なお、以下の説明において、ＬＴＥは、LTE-A、LTE-A  Pro、及びEUTRAを含み、ＮＲは、NRAT、及びFEUTRAを含む。ＬＴＥでは基地局装置（基地局）はｅＮｏｄｅＢ（evolved  NodeB）、ＮＲでは基地局装置（基地局）はｇＮｏｄｅＢ、ＬＴＥ及びＮＲでは端末装置（移動局、移動局装置、端末）はＵＥ（User  Equipment）とも称する。ＬＴＥ及びＮＲは、基地局装置がカバーするエリアをセル状に複数配置するセルラー通信システムである。単一の基地局装置は複数のセルを管理してもよい。【０００３】
ＮＲは、ＬＴＥに対する次世代の無線アクセス方式として、ＬＴＥとは異なるＲＡＴ（Radio  Access  Technology）である。ＮＲは、ｅＭＢＢ（Enhanced  mobile  broadband）、ｍＭＴＣ（Massive  machine  type  communications）及びＵＲＬＬＣ（Ultra  reliable  and  low  latency  communications）を含む様々なユースケースに対応できるアクセス技術である。ＮＲは、それらのユースケースにおける利用シナリオ、要求条件、及び配置シナリオなどに対応する技術フレームワークを目指して検討される。【０００４】
更に、ＮＲでは、広域カバレッジ及び接続安定性などの要求の高まりから、空中又は宇宙に浮遊する装置から無線ネットワークが提供される非地上波ネットワーク（Non-Terrestrial  Network）の検討が開始されている。非地上波ネットワークでは、衛星局装置又は航空機等の非地上局装置を介して地上の端末装置（後述する、地球端末装置）に無線ネットワークが提供される。また、非地上波ネットワークでは、地上波ネットワーク（Terrestrial  Network）と同一の無線アクセス方式を用いることで、地上波ネットワーク及び非地上波ネットワーク間の統合的な運用が容易となる。非地上波ネットワークの概要は、非特許文献１に開示されている。
【先行技術文献】
【非特許文献】
【０００５】
【非特許文献１】PR-170717,  Thales,  Dish  network,  et  al,  “Study  on  NR  to  support  Non-Terrestrial  Networks,”  3GPP  TSG  RAN  Meeting#75,  Dubrovnik,  Croatia,  March,  2017.
【発明の概要】
【発明が解決しようとする課題】
【０００６】
非地上局装置と地上の端末装置との間で行われる通信は、地上に設けられた基地局装置と地上の端末装置との間で行われる通信に比べて、伝搬遅延が大きい。しかしながら、このような伝搬遅延が大きい通信環境における通信の適応制御手法については、今まで検討されていなかった。その結果、非地上局装置と地上の端末装置との間で行われる通信に関する無線リンク品質は十分とは言えなかった。【０００７】
そこで、本開示では、非地上局装置と地上の端末装置との間で行われる通信の無線リンク品質を向上させることが可能な仕組みを提案する。
【課題を解決するための手段】
【０００８】
本開示によれば、衛星局装置として構成された基地局装置であって、前記基地局装置に関する情報に基づいて、端末装置から前記基地局装置への信号の送信に用いられる送信パラメータに関する設定情報を前記端末装置に送信する制御部、を備える基地局装置が提供される。【０００９】
また、本開示によれば、衛星局装置として構成された基地局装置に関する情報に基づく設定情報であって、端末装置から前記基地局装置への信号の送信に用いられる送信パラメータに関する前記設定情報を取得し、前記設定情報に応じた前記送信パラメータを用いて前記信号の送信を行う制御部と、を備える端末装置が提供される。【００１０】
また、本開示によれば、衛星局装置として構成された基地局装置により実行される方法であって、前記基地局装置に関する情報に基づいて、端末装置から前記基地局装置への信号の送信に用いられる送信パラメータに関する設定情報を前記端末装置に送信すること、を含む方法が提供される。
【発明の効果】
【００１１】
以上説明したように本開示によれば、非地上局装置と地上の端末装置との間で行われる通信の無線リンク品質を向上させることが可能な仕組みが提供される。なお、上記の効果は必ずしも限定的なものではなく、上記の効果とともに、又は上記の効果に代えて、本明細書に示されたいずれかの効果、又は本明細書から把握され得る他の効果が奏されてもよい。
【図面の簡単な説明】
【００１２】
【図１】本実施形態に係るコンポーネントキャリアの設定の一例を示す図である。
【図２】本実施形態に係るコンポーネントキャリアの設定の一例を示す図である。
【図３】本実施形態に係るＮＲの下りリンクサブフレームの一例を示す図である。
【図４】本実施形態に係るＮＲの上りリンクサブフレームの一例を示す図である。
【図５】本実施形態に係る基地局装置の構成を示す概略ブロック図である。
【図６】本実施形態に係る端末装置の構成を示す概略ブロック図である。
【図７】本実施形態に係る端末装置の初期接続プロシージャの一例を示すフローチャートである。
【図８】本実施形態に係る衝突ベースＲＡＣＨプロシージャの流れの一例を示すシーケンス図である。
【図９】本実施形態に係る非衝突ＲＡＣＨプロシージャの流れの一例を示すシーケンス図である。
【図１０】本実施形態に係る上りリンク同期調整の一例を説明するための図である。
【図１１】本実施形態に係る上りリンク同期調整の一例を説明するための図である。
【図１２】本実施形態に係る上りリンク同期調整プロシージャの流れの一例を示すシーケンス図である。
【図１３】本実施形態に係る非地上波ネットワークの一例を示す図である。
【図１４】本実施形態に係る衛星局装置が提供するセルの一例を説明するための図である。
【図１５】本実施形態に係る低軌道衛星局装置が提供するセルの一例を説明するための図である。
【図１６】本実施形態に係る衛星局装置の機能構成の一例を説明するための図である。
【図１７】本実施形態に係る地球端末装置の機能構成の一例を説明するための図である。
【図１８】本実施形態に係るシステムにおいて実行される送信パラメータ制御のための第１のプロシージャの流れの一例を示すシーケンス図である。
【図１９】本実施形態に係るシステムにおいて実行される送信パラメータ制御のための第２のプロシージャの流れの一例を示すシーケンス図である。
【図２０】本実施形態に係るシステムにおいて実行される送信パラメータ制御のための第３のプロシージャの流れの一例を示すシーケンス図である。
【図２１】ｅＮＢの概略的な構成の第１の例を示すブロック図である。
【図２２】ｅＮＢの概略的な構成の第２の例を示すブロック図である。
【図２３】スマートフォンの概略的な構成の一例を示すブロック図である。
【図２４】カーナビゲーション装置の概略的な構成の一例を示すブロック図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。また、特に明記されない限り、以下で説明される技術、機能、方法、構成、手順、及びその他全ての記載は、ＬＴＥ及びＮＲに適用できる。
【００１４】
また、以下の説明では、ＮＲに特有の用語について特に言及する場合に、用語の先頭に「ＮＲ−」を付す場合がある。例えば、ＮＲに特有のＰＲＡＣＨ（Physical  Random  Access  Channel）は、ＮＲ−ＰＲＡＣＨと表記され得る。一方で、先頭に「ＮＲ−」が付されていない用語は、ＮＲに特有の用語として捉えられてもよいし、ＮＲに特有でない用語（例えば、ＬＴＥの用語）として捉えられてもよい。例えば、「ＰＲＡＣＨ」は、ＮＲ−ＰＲＡＣＨとして捉えられてもよいし、ＬＴＥのＰＲＡＣＨとして捉えられてもよい。
【００１５】
なお、説明は以下の順序で行うものとする。
１．はじめに
２．技術的課題
３．機能構成例
４．技術的特徴
５．変形例
６．応用例
７．まとめ
【００１６】
＜＜１．はじめに＞＞
＜本実施形態に係る無線通信システム＞
本実施形態において、無線通信システムは、基地局装置１００及び端末装置２００を少なくとも具備する。基地局装置１００は複数の端末装置２００を収容できる。基地局装置１００は、他の基地局装置１００とＸ２インタフェースの手段によって互いに接続できる。また、基地局装置１００は、Ｓ１インタフェースの手段によってＥＰＣ（Evolved  Packet  Core）に接続できる。さらに、基地局装置１００は、Ｓ１−ＭＭＥインタフェースの手段によってＭＭＥ（Mobility  Management  Entity）に接続でき、Ｓ１−Ｕインタフェースの手段によってＳ−ＧＷ（Serving  Gateway）に接続できる。Ｓ１インタフェースは、ＭＭＥ及び／又はＳ−ＧＷと基地局装置１００との間で、多対多の接続をサポートしている。また、本実施形態において、基地局装置１００及び端末装置２００は、それぞれＬＴＥ及び／又はＮＲをサポートする。
【００１７】
＜本実施形態に係る無線アクセス技術＞
本実施形態において、基地局装置１００及び端末装置２００は、それぞれ１つ以上の無線アクセス技術（ＲＡＴ）をサポートする。例えば、ＲＡＴは、ＬＴＥ及びＮＲを含む。１つのＲＡＴは、１つのセル（コンポーネントキャリア）に対応する。すなわち、複数のＲＡＴがサポートされる場合、それらのＲＡＴは、それぞれ異なるセルに対応する。本実施形態において、セルは、下りリンクリソース、上りリンクリソース、及び／又は、サイドリンクの組み合わせである。また、以下の説明において、ＬＴＥに対応するセルはＬＴＥセルと呼称され、ＮＲに対応するセルはＮＲセルと呼称される。
【００１８】
下りリンクの通信は、基地局装置１００から端末装置２００に対する通信である。下りリンク送信は、基地局装置１００から端末装置２００に対する送信であり、下りリンク物理チャネル及び／又は下りリンク物理信号の送信である。上りリンクの通信は、端末装置２００から基地局装置１００に対する通信である。以下では、下りリンク送信される下りリンク物理チャネル及び下りリンク物理信号を、下りリンク信号とも総称する。上りリンク送信は、端末装置２００から基地局装置１００に対する送信であり、上りリンク物理チャネル及び／又は上りリンク物理信号の送信である。以下では、上りリンク送信される上りリンク物理チャネル及び上りリンク物理信号を、上りリンク信号とも総称する。サイドリンクの通信は、端末装置２００から別の端末装置２００に対する通信である。サイドリンク送信は、端末装置２００から別の端末装置２００に対する送信であり、サイドリンク物理チャネル及び／又はサイドリンク物理信号の送信である。以下では、サイドリンク送信されるサイドリンク物理チャネル及びサイドリンク物理信号を、サイドリンク信号とも総称する。
【００１９】
サイドリンクの通信は、端末装置２００間の近接直接検出及び近接直接通信のために定義される。サイドリンクの通信は、上りリンク及び下りリンクと同様なフレーム構成を用いることができる。また、サイドリンクの通信は、上りリンクリソース及び／又は下りリンクリソースの一部（サブセット）に制限されうる。
【００２０】
基地局装置１００及び端末装置２００は、下りリンク、上りリンク及び／又はサイドリンクにおいて、１つ以上のセルの集合を用いる通信をサポートできる。複数のセルの集合又は複数のセルの集合による通信は、キャリアアグリゲーション又はデュアルコネクティビティとも呼称される。キャリアアグリゲーションとデュアルコネクティビティの詳細は後述される。また、それぞれのセルは、所定の周波数帯域幅を用いる。所定の周波数帯域幅における最大値、最小値及び設定可能な値は、予め規定できる。
【００２１】
図１は、本実施形態に係るコンポーネントキャリアの設定の一例を示す図である。図１の例では、１つのＬＴＥセルと２つのＮＲセルが設定される。１つのＬＴＥセルは、プライマリーセルとして設定される。２つのＮＲセルは、それぞれプライマリーセカンダリーセル及びセカンダリーセルとして設定される。２つのＮＲセルは、キャリアアグリゲーションにより統合される。また、ＬＴＥセルとＮＲセルは、デュアルコネクティビティにより統合される。なお、ＬＴＥセルとＮＲセルは、キャリアアグリゲーションにより統合されてもよい。図１の例では、ＮＲは、プライマリーセルであるＬＴＥセルにより接続をアシストされることが可能であるため、スタンドアロンで通信するための機能のような一部の機能をサポートしなくてもよい。スタンドアロンで通信するための機能は、初期接続に必要な機能を含む。
【００２２】
図２は、本実施形態に係るコンポーネントキャリアの設定の一例を示す図である。図２の例では、２つのＮＲセルが設定される。２つのＮＲセルは、それぞれプライマリーセル及びセカンダリーセルとして設定され、キャリアアグリゲーションにより統合される。この場合、ＮＲセルがスタンドアロンで通信するための機能をサポートすることにより、ＬＴＥセルのアシストが不要になる。なお、２つのＮＲセルは、デュアルコネクティビティにより統合されてもよい。
【００２３】
＜本実施形態に係るＮＲのフレーム構成＞
ＮＲセルのそれぞれにおいて、ある所定の時間長（例えば、サブフレーム）では、１つ以上の所定のパラメータが用いられる。すなわち、ＮＲセルでは、下りリンク信号及び上りリンク信号は、それぞれ所定の時間長において、１つ以上の所定のパラメータを用いて生成される。換言すると、端末装置２００は、基地局装置１００から送信される下りリンク信号、及び、基地局装置１００に送信する上りリンク信号が、それぞれ所定の時間長において、１つ以上の所定のパラメータで生成される、と想定する。また、基地局装置１００は、端末装置２００に送信する下りリンク信号、及び、端末装置２００から送信される上りリンク信号が、それぞれ所定の時間長において、１つ以上の所定のパラメータで生成されるように設定できる。複数の所定のパラメータが用いられる場合、それらの所定のパラメータが用いられて生成される信号は、所定の方法により多重される。例えば、所定の方法は、ＦＤＭ（Frequency  Division  Multiplexing）、ＴＤＭ（Time  Division  Multiplexing）、ＣＤＭ（Code  Division  Multiplexing）及び／又はＳＤＭ（Spatial  Division  Multiplexing）などを含む。
【００２４】
図３は、本実施形態に係るＮＲの下りリンクサブフレームの一例を示す図である。図３の例では、パラメータセット１、パラメータセット０及びパラメータセット２を用いて生成される信号が、セル（システム帯域幅）において、ＦＤＭされる。図３に示される図は、ＮＲの下りリンクリソースグリッドとも呼称される。基地局装置１００は、端末装置２００への下りリンクサブフレームにおいて、ＮＲの下りリンク物理チャネル及び／又はＮＲの下りリンク物理信号を送信できる。端末装置２００は、基地局装置１００からの下りリンクサブフレームにおいて、ＮＲの下りリンク物理チャネル及び／又はＮＲの下りリンク物理信号を受信できる。
【００２５】
図４は、本実施形態に係るＮＲの上りリンクサブフレームの一例を示す図である。図４の例では、パラメータセット１、パラメータセット０及びパラメータセット２を用いて生成される信号が、セル（システム帯域幅）において、ＦＤＭされる。図４に示される図は、ＮＲの上りリンクリソースグリッドとも呼称される。基地局装置１００は、端末装置２００への上りリンクサブフレームにおいて、ＮＲの上りリンク物理チャネル及び／又はＮＲの上りリンク物理信号を送信できる。端末装置２００は、基地局装置１００からの上りリンクサブフレームにおいて、ＮＲの上りリンク物理チャネル及び／又はＮＲの上りリンク物理信号を受信できる。
【００２６】
本実施形態において、物理リソースは以下のように定義されうる。１つのスロットは複数のシンボルによって定義される。スロットのそれぞれにおいて送信される物理信号又は物理チャネルは、リソースグリッドによって表現される。下りリンクにおいて、リソースグリッドは、周波数方向に対する複数のサブキャリアと、時間方向に対する複数のＯＦＤＭシンボルによって定義される。上りリンクにおいて、リソースグリッドは、周波数方向に対する複数のサブキャリアと、時間方向に対する複数のＯＦＤＭシンボル又はＳＣ−ＦＤＭＡシンボルによって定義される。サブキャリア又はリソースブロックの数は、セルの帯域幅に依存して決まるようにしてもよい。１つのスロットにおけるシンボルの数は、ＣＰ（Cyclic  Prefix）のタイプによって決まる。ＣＰのタイプは、ノーマルＣＰ又は拡張ＣＰである。ノーマルＣＰにおいて、１つのスロットを構成するＯＦＤＭシンボル又はＳＣ−ＦＤＭＡシンボルの数は７である。拡張ＣＰにおいて、１つのスロットを構成するＯＦＤＭシンボル又はＳＣ−ＦＤＭＡシンボルの数は６である。リソースグリッド内のエレメントのそれぞれはリソースエレメントと称される。リソースエレメントは、サブキャリアのインデックス（番号）とシンボルのインデックス（番号）とを用いて識別される。なお、本実施形態の説明において、ＯＦＤＭシンボル又はＳＣ−ＦＤＭＡシンボルは単にシンボルとも呼称される。
【００２７】
リソースブロックは、ある物理チャネル（ＰＤＳＣＨ又はＰＵＳＣＨなど）をリソースエレメントにマッピングするために用いられる。リソースブロックは、仮想リソースブロックと物理リソースブロックを含む。ある物理チャネルは、仮想リソースブロックにマッピングされる。仮想リソースブロックは、物理リソースブロックにマッピングされる。１つの物理リソースブロックは、時間領域において所定数の連続するシンボルで定義される。１つの物理リソースブロックは、周波数領域において所定数の連続するサブキャリアとから定義される。１つの物理リソースブロックにおけるシンボル数及びサブキャリア数は、そのセルにおけるＣＰのタイプ、サブキャリア間隔及び／又は上位層によって設定されるパラメータなどに基づいて決まる。例えば、ＣＰのタイプがノーマルＣＰであり、サブキャリア間隔が１５ｋＨｚである場合、１つの物理リソースブロックにおけるシンボル数は７であり、サブキャリア数は１２である。その場合、１つの物理リソースブロックは（７×１２）個のリソースエレメントから構成される。物理リソースブロックは周波数領域において０から番号が付けられる。また、同一の物理リソースブロック番号が対応する、１つのサブフレーム内の２つのリソースブロックは、物理リソースブロックペア（ＰＲＢペア、ＲＢペア）として定義される。
【００２８】
＜本実施形態に係る基地局装置の構成例＞
図５は、本実施形態に係る基地局装置１００の構成を示す概略ブロック図である。図示するように、基地局装置１００は、上位層処理部１０１、制御部１０３、受信部１０５、送信部１０７、及び、送受信アンテナ１０９、を含んで構成される。また、受信部１０５は、復号化部１０５１、復調部１０５３、多重分離部１０５５、無線受信部１０５７、及びチャネル測定部１０５９を含んで構成される。また、送信部１０７は、符号化部１０７１、変調部１０７３、多重部１０７５、無線送信部１０７７、及び下りリンク参照信号生成部１０７９を含んで構成される。
【００２９】
既に説明したように、基地局装置１００は、１つ以上のＲＡＴをサポートできる。図５に示す基地局装置１００に含まれる各部の一部又は全部は、ＲＡＴに応じて個別に構成されうる。例えば、受信部１０５及び送信部１０７は、ＬＴＥとＮＲとで個別に構成される。また、ＮＲセルにおいて、図５に示す基地局装置１００に含まれる各部の一部又は全部は、送信信号に関するパラメータセットに応じて個別に構成されうる。例えば、あるＮＲセルにおいて、無線受信部１０５７及び無線送信部１０７７は、送信信号に関するパラメータセットに応じて個別に構成されうる。
【００３０】
上位層処理部１０１は、媒体アクセス制御（MAC:  Medium  Access  Control）層、パケットデータ統合プロトコル（Packet  Data  Convergence  Protocol:  PDCP）層、無線リンク制御（Radio  Link  Control:  RLC）層、無線リソース制御（Radio  Resource  Control:  RRC）層の処理を行う。また、上位層処理部１０１は、受信部１０５、及び送信部１０７の制御を行うために制御情報を生成し、制御部１０３に出力する。
【００３１】
制御部１０３は、上位層処理部１０１からの制御情報に基づいて、受信部１０５及び送信部１０７の制御を行う。制御部１０３は、上位層処理部１０１への制御情報を生成し、上位層処理部１０１に出力する。制御部１０３は、復号化部１０５１からの復号化された信号及びチャネル測定部１０５９からのチャネル推定結果を入力する。制御部１０３は、符号化する信号を符号化部１０７１へ出力する。また、制御部１０３は、基地局装置１００の全体又は一部を制御するために用いられる。
【００３２】
上位層処理部１０１は、ＲＡＴ制御、無線リソース制御、サブフレーム設定、スケジューリング制御、及び／又は、ＣＳＩ報告制御に関する処理及び管理を行う。上位層処理部１０１における処理及び管理は、端末装置２００毎、又は基地局装置１００に接続している端末装置２００共通に行われる。上位層処理部１０１における処理及び管理は、上位層処理部１０１のみで行われてもよいし、上位ノード又は他の基地局装置１００から取得してもよい。また、上位層処理部１０１における処理及び管理は、ＲＡＴに応じて個別に行われてもよい。例えば、上位層処理部１０１は、ＬＴＥにおける処理及び管理と、ＮＲにおける処理及び管理とを個別に行う。
【００３３】
上位層処理部１０１におけるＲＡＴ制御では、ＲＡＴに関する管理が行われる。例えば、ＲＡＴ制御では、ＬＴＥに関する管理及び／又はＮＲに関する管理が行われる。ＮＲに関する管理は、ＮＲセルにおける送信信号に関するパラメータセットの設定及び処理を含む。
【００３４】
上位層処理部１０１における無線リソース制御では、下りリンクデータ（トランスポートブロック）、システムインフォメーション、ＲＲＣメッセージ（ＲＲＣパラメータ）、及び／又は、ＭＡＣ制御エレメント（ＣＥ：Control  Element）の生成及び／又は管理が行われる。
【００３５】
上位層処理部１０１におけるサブフレーム設定では、サブフレーム設定、サブフレームパターン設定、上りリンク−下りリンク設定、上りリンク参照ＵＬ−ＤＬ設定、及び／又は、下りリンク参照ＵＬ−ＤＬ設定の管理が行われる。なお、上位層処理部１０１におけるサブフレーム設定は、基地局サブフレーム設定とも呼称される。また、上位層処理部１０１におけるサブフレーム設定は、上りリンクのトラフィック量及び下りリンクのトラフィック量に基づいて決定できる。また、上位層処理部１０１におけるサブフレーム設定は、上位層処理部１０１におけるスケジューリング制御のスケジューリング結果に基づいて決定できる。
【００３６】
上位層処理部１０１におけるスケジューリング制御では、受信したチャネル状態情報及びチャネル測定部１０５９から入力された伝搬路の推定値やチャネルの品質などに基づいて、物理チャネルを割り当てる周波数及びサブフレーム、物理チャネルの符号化率及び変調方式及び送信電力などが決定される。例えば、制御部１０３は、上位層処理部１０１におけるスケジューリング制御のスケジューリング結果に基づいて、制御情報（ＤＣＩフォーマット）を生成する。
【００３７】
上位層処理部１０１におけるＣＳＩ報告制御では、端末装置２００のＣＳＩ報告が制御される。例えば、端末装置２００においてＣＳＩを算出するために想定するためのＣＳＩ参照リソースに関する設定が制御される。
【００３８】
受信部１０５は、制御部１０３からの制御に従って、送受信アンテナ１０９を介して端末装置２００から送信された信号を受信し、さらに分離、復調、復号などの受信処理を行い、受信処理された情報を制御部１０３に出力する。なお、受信部１０５における受信処理は、あらかじめ規定された設定、又は基地局装置１００が端末装置２００に通知した設定に基づいて行われる。
【００３９】
無線受信部１０５７は、送受信アンテナ１０９を介して受信された上りリンクの信号に対して、中間周波数への変換（ダウンコンバート）、不要な周波数成分の除去、信号レベルが適切に維持されるように増幅レベルの制御、受信された信号の同相成分及び直交成分に基づく直交復調、アナログ信号からディジタル信号への変換、ガードインターバル（Guard  Interval:  GI）の除去、及び／又は、高速フーリエ変換（Fast  Fourier  Transform:  FFT）による周波数領域信号の抽出を行う。
【００４０】
多重分離部１０５５は、無線受信部１０５７から入力された信号から、ＰＵＣＣＨ（Physical  Uplink  Control  Channel）又はＰＵＳＣＨ（Physical  Uplink  shared  Channel）などの上りリンクチャネル及び／又は上りリンク参照信号を分離する。多重分離部１０５５は、上りリンク参照信号をチャネル測定部１０５９に出力する。多重分離部１０５５は、チャネル測定部１０５９から入力された伝搬路の推定値から、上りリンクチャネルに対する伝搬路の補償を行う。
【００４１】
復調部１０５３は、上りリンクチャネルの変調シンボルに対して、ＢＰＳＫ（Binary  Phase  Shift  Keying）、ＱＰＳＫ（Quadrature  Phase  shift  Keying）、１６ＱＡＭ（Quadrature  Amplitude  Modulation）、６４ＱＡＭ、２５６ＱＡＭ等の変調方式を用いて受信信号の復調を行う。復調部１０５３は、ＭＩＭＯ多重された上りリンクチャネルの分離及び復調を行う。
【００４２】
復号化部１０５１は、復調された上りリンクチャネルの符号化ビットに対して、復号処理を行う。復号された上りリンクデータ及び／又は上りリンク制御情報は制御部１０３へ出力される。復号化部１０５１は、ＰＵＳＣＨに対しては、トランスポートブロック毎に復号処理を行う。
【００４３】
チャネル測定部１０５９は、多重分離部１０５５から入力された上りリンク参照信号から伝搬路の推定値及び／又はチャネルの品質などを測定し、多重分離部１０５５及び／又は制御部１０３に出力する。例えば、チャネル測定部１０５９は、ＵＬ−ＤＭＲＳを用いてＰＵＣＣＨ又はＰＵＳＣＨに対する伝搬路補償を行うための伝搬路の推定値を測定し、ＳＲＳ（Sounding  Reference  signal）を用いて上りリンクにおけるチャネルの品質を測定する。
【００４４】
送信部１０７は、制御部１０３からの制御に従って、上位層処理部１０１から入力された下りリンク制御情報及び下りリンクデータに対して、符号化、変調及び多重などの送信処理を行う。例えば、送信部１０７は、ＰＨＩＣＨ、ＰＤＣＣＨ、ＥＰＤＣＣＨ、ＰＤＳＣＨ、及び下りリンク参照信号を生成及び多重し、送信信号を生成する。なお、送信部１０７における送信処理は、あらかじめ規定された設定、基地局装置１００が端末装置２００に通知した設定、又は、同一のサブフレームで送信されるＰＤＣＣＨ又はＥＰＤＣＣＨを通じて通知される設定に基づいて行われる。
【００４５】
符号化部１０７１は、制御部１０３から入力されたＨＡＲＱインディケータ（ＨＡＲＱ−ＡＣＫ）、下りリンク制御情報、及び下りリンクデータを、ブロック符号化、畳込み符号化、ターボ符号化等の所定の符号化方式を用いて符号化を行う。変調部１０７３は、符号化部１０７１から入力された符号化ビットをＢＰＳＫ、ＱＰＳＫ、１６ＱＡＭ、６４ＱＡＭ、２５６ＱＡＭ等の所定の変調方式で変調する。下りリンク参照信号生成部１０７９は、物理セル識別子（ＰＣＩ：Physical  cell  identification）、端末装置２００に設定されたＲＲＣパラメータなどに基づいて、下りリンク参照信号を生成する。多重部１０７５は、各チャネルの変調シンボルと下りリンク参照信号を多重し、所定のリソースエレメントに配置する。
【００４６】
無線送信部１０７７は、多重部１０７５からの信号に対して、逆高速フーリエ変換（Inverse  Fast  Fourier  Transform:  IFFT）による時間領域の信号への変換、ガードインターバルの付加、ベースバンドのディジタル信号の生成、アナログ信号への変換、直交変調、中間周波数の信号から高周波数の信号への変換（アップコンバート:  up  convert）、余分な周波数成分の除去、電力の増幅などの処理を行い、送信信号を生成する。無線送信部１０７７が出力した送信信号は、送受信アンテナ１０９から送信される。
【００４７】
＜本実施形態に係る端末装置の構成例＞
図６は、本実施形態に係る端末装置２００の構成を示す概略ブロック図である。図示するように、端末装置２００は、上位層処理部２０１、制御部２０３、受信部２０５、送信部２０７、及び送受信アンテナ２０９を含んで構成される。また、受信部２０５は、復号化部２０５１、復調部２０５３、多重分離部２０５５、無線受信部２０５７、及びチャネル測定部２０５９を含んで構成される。また、送信部２０７は、符号化部２０７１、変調部２０７３、多重部２０７５、無線送信部２０７７、及び上りリンク参照信号生成部２０７９を含んで構成される。
【００４８】
既に説明したように、端末装置２００は、１つ以上のＲＡＴをサポートできる。図６に示す端末装置２００に含まれる各部の一部又は全部は、ＲＡＴに応じて個別に構成されうる。例えば、受信部２０５及び送信部２０７は、ＬＴＥとＮＲとで個別に構成される。また、ＮＲセルにおいて、図６に示す端末装置２００に含まれる各部の一部又は全部は、送信信号に関するパラメータセットに応じて個別に構成されうる。例えば、あるＮＲセルにおいて、無線受信部２０５７及び無線送信部２０７７は、送信信号に関するパラメータセットに応じて個別に構成されうる。
【００４９】
上位層処理部２０１は、上りリンクデータ（トランスポートブロック）を、制御部２０３に出力する。上位層処理部２０１は、媒体アクセス制御（MAC:  Medium  Access  Control）層、パケットデータ統合プロトコル（Packet  Data  Convergence  Protocol:  PDCP）層、無線リンク制御（Radio  Link  Control:  RLC）層、無線リソース制御（Radio  Resource  Control:  RRC）層の処理を行なう。また、上位層処理部２０１は、受信部２０５、及び送信部２０７の制御を行うために制御情報を生成し、制御部２０３に出力する。
【００５０】
制御部２０３は、上位層処理部２０１からの制御情報に基づいて、受信部２０５及び送信部２０７の制御を行う。制御部２０３は、上位層処理部２０１への制御情報を生成し、上位層処理部２０１に出力する。制御部２０３は、復号化部２０５１からの復号化された信号及びチャネル測定部２０５９からのチャネル推定結果を入力する。制御部２０３は、符号化する信号を符号化部２０７１へ出力する。また、制御部２０３は、端末装置２００の全体又は一部を制御するために用いられてもよい。
【００５１】
上位層処理部２０１は、ＲＡＴ制御、無線リソース制御、サブフレーム設定、スケジューリング制御、及び／又は、ＣＳＩ報告制御に関する処理及び管理を行う。上位層処理部２０１における処理及び管理は、あらかじめ規定される設定、及び／又は、基地局装置１００から設定又は通知される制御情報に基づく設定に基づいて行われる。例えば、基地局装置１００からの制御情報は、ＲＲＣパラメータ、ＭＡＣ制御エレメント又はＤＣＩを含む。また、上位層処理部２０１における処理及び管理は、ＲＡＴに応じて個別に行われてもよい。例えば、上位層処理部２０１は、ＬＴＥにおける処理及び管理と、ＮＲにおける処理及び管理とを個別に行う。
【００５２】
上位層処理部２０１におけるＲＡＴ制御では、ＲＡＴに関する管理が行われる。例えば、ＲＡＴ制御では、ＬＴＥに関する管理及び／又はＮＲに関する管理が行われる。ＮＲに関する管理は、ＮＲセルにおける送信信号に関するパラメータセットの設定及び処理を含む。
【００５３】
上位層処理部２０１における無線リソース制御では、自装置における設定情報の管理が行われる。上位層処理部２０１における無線リソース制御では、上りリンクデータ（トランスポートブロック）、システムインフォメーション、ＲＲＣメッセージ（ＲＲＣパラメータ）、及び／又は、ＭＡＣ制御エレメント（ＣＥ：Control  Element）の生成及び／又は管理が行われる。
【００５４】
上位層処理部２０１におけるサブフレーム設定では、基地局装置１００及び／又は基地局装置１００とは異なる基地局装置１００におけるサブフレーム設定が管理される。サブフレーム設定は、サブフレームに対する上りリンク又は下りリンクの設定、サブフレームパターン設定、上りリンク−下りリンク設定、上りリンク参照ＵＬ−ＤＬ設定、及び／又は、下りリンク参照ＵＬ−ＤＬ設定を含む。なお、上位層処理部２０１におけるサブフレーム設定は、端末サブフレーム設定とも呼称される。
【００５５】
上位層処理部２０１におけるスケジューリング制御では、基地局装置１００からのＤＣＩ（スケジューリング情報）に基づいて、受信部２０５及び送信部２０７に対するスケジューリングに関する制御を行うための制御情報が生成される。
【００５６】
上位層処理部２０１におけるＣＳＩ報告制御では、基地局装置１００に対するＣＳＩの報告に関する制御が行われる。例えば、ＣＳＩ報告制御では、チャネル測定部２０５９でＣＳＩを算出するために想定するためのＣＳＩ参照リソースに関する設定が制御される。ＣＳＩ報告制御では、ＤＣＩ及び／又はＲＲＣパラメータに基づいて、ＣＳＩを報告するために用いられるリソース（タイミング）を制御する。
【００５７】
受信部２０５は、制御部２０３からの制御に従って、送受信アンテナ２０９を介して基地局装置１００から送信された信号を受信し、さらに分離、復調、復号などの受信処理を行い、受信処理された情報を制御部２０３に出力する。なお、受信部２０５における受信処理は、あらかじめ規定された設定、又は基地局装置１００からの通知又は設定に基づいて行われる。
【００５８】
無線受信部２０５７は、送受信アンテナ２０９を介して受信された上りリンクの信号に対して、中間周波数への変換（ダウンコンバート）、不要な周波数成分の除去、信号レベルが適切に維持されるように増幅レベルの制御、受信された信号の同相成分及び直交成分に基づく直交復調、アナログ信号からディジタル信号への変換、ガードインターバル（Guard  Interval:  GI）の除去、及び／又は、高速フーリエ変換（Fast  Fourier  Transform:  FFT）による周波数領域の信号の抽出を行う。
【００５９】
多重分離部２０５５は、無線受信部２０５７から入力された信号から、ＰＨＩＣＨ、ＰＤＣＣＨ、ＥＰＤＣＣＨ又はＰＤＳＣＨなどの下りリンクチャネル、下りリンク同期信号及び／又は下りリンク参照信号を分離する。多重分離部２０５５は、下りリンク参照信号をチャネル測定部２０５９に出力する。多重分離部２０５５は、チャネル測定部２０５９から入力された伝搬路の推定値から、下りリンクチャネルに対する伝搬路の補償を行う。
【００６０】
復調部２０５３は、下りリンクチャネルの変調シンボルに対して、ＢＰＳＫ、ＱＰＳＫ、１６ＱＡＭ、６４ＱＡＭ、２５６ＱＡＭ等の変調方式を用いて受信信号の復調を行う。復調部２０５３は、ＭＩＭＯ多重された下りリンクチャネルの分離及び復調を行う。
【００６１】
復号化部２０５１は、復調された下りリンクチャネルの符号化ビットに対して、復号処理を行う。復号された下りリンクデータ及び／又は下りリンク制御情報は制御部２０３へ出力される。復号化部２０５１は、ＰＤＳＣＨに対しては、トランスポートブロック毎に復号処理を行う。
【００６２】
チャネル測定部２０５９は、多重分離部２０５５から入力された下りリンク参照信号から伝搬路の推定値及び／又はチャネルの品質などを測定し、多重分離部２０５５及び／又は制御部２０３に出力する。チャネル測定部２０５９が測定に用いる下りリンク参照信号は、少なくともＲＲＣパラメータによって設定される送信モード及び／又は他のＲＲＣパラメータに基づいて決定されてもよい。例えば、ＤＬ−ＤＭＲＳはＰＤＳＣＨ又はＥＰＤＣＣＨに対する伝搬路補償を行うための伝搬路の推定値を測定する。ＣＲＳはＰＤＣＣＨ又はＰＤＳＣＨに対する伝搬路補償を行うための伝搬路の推定値、及び／又は、ＣＳＩを報告するための下りリンクにおけるチャネルを測定する。ＣＳＩ−ＲＳは、ＣＳＩを報告するための下りリンクにおけるチャネルを測定する。チャネル測定部２０５９は、ＣＲＳ、ＣＳＩ−ＲＳ又は検出信号に基づいて、ＲＳＲＰ（Reference  Signal  Received  Power）及び／又はＲＳＲＱ（Reference  Signal  Received  Quality）を算出し、上位層処理部２０１へ出力する。
【００６３】
送信部２０７は、制御部２０３からの制御に従って、上位層処理部２０１から入力された上りリンク制御情報及び上りリンクデータに対して、符号化、変調及び多重などの送信処理を行う。例えば、送信部２０７は、ＰＵＳＣＨ又はＰＵＣＣＨなどの上りリンクチャネル及び／又は上りリンク参照信号を生成及び多重し、送信信号を生成する。なお、送信部２０７における送信処理は、あらかじめ規定された設定、又は、基地局装置１００から設定又は通知に基づいて行われる。
【００６４】
符号化部２０７１は、制御部２０３から入力されたＨＡＲＱインディケータ（ＨＡＲＱ−ＡＣＫ）、上りリンク制御情報、及び上りリンクデータを、ブロック符号化、畳込み符号化、ターボ符号化等の所定の符号化方式を用いて符号化を行う。変調部２０７３は、符号化部２０７１から入力された符号化ビットをＢＰＳＫ、ＱＰＳＫ、１６ＱＡＭ、６４ＱＡＭ、２５６ＱＡＭ等の所定の変調方式で変調する。上りリンク参照信号生成部２０７９は、端末装置２００に設定されたＲＲＣパラメータなどに基づいて、上りリンク参照信号を生成する。多重部２０７５は、各チャネルの変調シンボルと上りリンク参照信号を多重し、所定のリソースエレメントに配置する。
【００６５】
無線送信部２０７７は、多重部２０７５からの信号に対して、逆高速フーリエ変換（Inverse  Fast  Fourier  Transform:  IFFT）による時間領域の信号への変換、ガードインターバルの付加、ベースバンドのディジタル信号の生成、アナログ信号への変換、直交変調、中間周波数の信号から高周波数の信号への変換（アップコンバート:  up  convert）、余分な周波数成分の除去、電力の増幅などの処理を行い、送信信号を生成する。無線送信部２０７７が出力した送信信号は、送受信アンテナ２０９から送信される。
【００６６】
＜本実施形態に係る制御情報のシグナリング＞
基地局装置１００及び端末装置２００は、それぞれ制御情報のシグナリング（通知、報知、設定）のために、様々な方法を用いることができる。制御情報のシグナリングは、様々な層（レイヤー）で行うことができる。制御情報のシグナリングは、物理層（レイヤー）を通じたシグナリングである物理層シグナリング、ＲＲＣ層を通じたシグナリングであるＲＲＣシグナリング、及び、ＭＡＣ層を通じたシグナリングであるＭＡＣシグナリングなどを含む。ＲＲＣシグナリングは、端末装置２００に固有の制御情報を通知する専用のＲＲＣシグナリング（Dedicated  RRC  signaling）、又は、基地局装置１００に固有の制御情報を通知する共通のＲＲＣシグナリング（Common  RRC  signaling）である。ＲＲＣシグナリングやＭＡＣシグナリングなど、物理層から見て上位の層が用いるシグナリングは上位層シグナリングとも呼称される。
【００６７】
ＲＲＣシグナリングは、ＲＲＣパラメータをシグナリングすることにより実現される。ＭＡＣシグナリングは、ＭＡＣ制御エレメントをシグナリングすることにより実現される。物理層シグナリングは、下りリンク制御情報（ＤＣＩ：Downlink  Control  Information）又は上りリンクリンク制御情報（ＵＣＩ：Uplink  Control  Information）をシグナリングすることにより実現される。ＲＲＣパラメータ及びＭＡＣ制御エレメントは、ＰＤＳＣＨ又はＰＵＳＣＨを用いて送信される。ＤＣＩは、ＰＤＣＣＨ又はＥＰＤＣＣＨを用いて送信される。ＵＣＩは、ＰＵＣＣＨ又はＰＵＳＣＨを用いて送信される。ＲＲＣシグナリング及びＭＡＣシグナリングは、準静的（semi-static）な制御情報をシグナリングするために用いられ、準静的シグナリングとも呼称される。物理層シグナリングは、動的（dynamic）な制御情報をシグナリングするために用いられ、動的シグナリングとも呼称される。ＤＣＩは、ＰＤＳＣＨのスケジューリング又はＰＵＳＣＨのスケジューリングなどのために用いられる。ＵＣＩは、ＣＳＩ報告、ＨＡＲＱ−ＡＣＫ報告、及び／又はスケジューリング要求（ＳＲ：Scheduling  Request）などのために用いられる。
【００６８】
＜本実施形態に係る初期接続プロシージャ＞
初期接続とは、端末装置２００がいずれのセルにも接続していない状態（アイドル状態）から、いずれかのセルとの接続を確立した状態（接続状態）に遷移する工程である。
【００６９】
図７は、本実施形態に係る端末装置２００の初期接続プロシージャの一例を示すフローチャートである。図７に示すように、アイドル状態の端末装置２００は、セル選択手続きを行う（ステップＳ１１０）。セル選択手続には、同期信号の検出（ステップＳ１１１）とＰＢＣＨの復号（ステップＳ１１２）の工程が含まれる。端末装置２００は、同期信号の検出に基づいて、セルと下りリンクでの同期を行う。そして、下りリンクの同期確立後、端末装置２００は、ＰＢＣＨの復号を試み、第一のシステム情報を取得する。
【００７０】
次に、端末装置２００は、ＰＢＣＨに含まれる第一のシステム情報に基づき、第二のシステム情報を取得する（ステップＳ１２０）。
【００７１】
次に、端末装置２００は、第一のシステム情報及び／又は第二のシステム情報に基づき、ランダムアクセス手続き（ランダムアクセスプロシージャ、ＲＡＣＨ手続き、ＲＡＣＨプロシージャ）を行う（ステップＳ１３０）。ランダムアクセス手続きには、ランダムアクセスプリアンブルの送信（ステップＳ１３１）、ランダムアクセス応答の受信（ステップＳ１３２）、メッセージ３（Message  3）の送信（ステップＳ１３３）、そして衝突解決（Contention  resolution）の受信（ステップＳ１３４）の工程が含まれる。端末装置２００は、先ず、所定のＰＲＡＣＨプリアンブルを選択し、送信を行う。次に、端末装置２００は、送信したＰＲＡＣＨプリアンブルに対応するランダムアクセス応答を含んだＰＤＳＣＨを受信する。次に、端末装置２００は、受信したランダムアクセス応答に含まれた、ランダムアクセスレスポンスグラントによってスケジュールされたリソースを用いてメッセージ３を含むＰＵＳＣＨを送信する。最後に、端末装置２００は、そのＰＵＳＣＨに対応する衝突解決を含んだＰＤＳＣＨを受信する。
【００７２】
メッセージ３は、ＲＲＣ接続要求のＲＲＣメッセージを含む。衝突解決は、ＲＲＣ接続セットアップのＲＲＣメッセージを含む。端末装置２００は、ＲＲＣ接続セットアップのＲＲＣメッセージを受信した場合、ＲＲＣ接続動作を行い、ＲＲＣアイドル状態からＲＲＣ接続状態に遷移する。ＲＲＣ接続状態に遷移した後、端末装置２００は、ＲＲＣ接続セットアップ完了のＲＲＣメッセージを基地局装置１００に送信する。この一連の動作によって、端末装置２００は、基地局装置１００と接続することができる。
【００７３】
なお、ランダムアクセスプリアンブルはメッセージ１、ランダムアクセス応答はメッセージ２、衝突解決はメッセージ４、ＲＲＣ接続セットアップ完了のメッセージはメッセージ５とも呼称される。
【００７４】
ランダムアクセス手続きの全ての工程が完了した後は、端末装置２００は、そのセルと接続されている状態（接続状態）に遷移することができる。
【００７５】
なお、図７に示したランダムアクセス手続きは、４ステップＲＡＣＨプロシージャとも呼称される。一方で、端末装置２００がランダムアクセスプリアンブルの送信に伴ってＭｅｓｓａｇｅ  ３の送信も行い、基地局装置１００がそれらの応答としてランダムアクセス応答及びＣｏｎｔｅｎｔｉｏｎ  ｒｅｓｏｌｕｔｉｏｎの送信を行うランダムアクセス手続きは、２ステップＲＡＣＨプロシージャと呼称される。
【００７６】
ランダムアクセスプリアンブルは、ＰＲＡＣＨに関連付けて送信される。ランダムアクセス応答は、ＰＤＳＣＨで送信される。ランダムアクセス応答を含むＰＤＳＣＨは、ＰＤＣＣＨでスケジュールされる。メッセージ３は、ＰＵＳＣＨで送信される。メッセージ３を含むＰＵＳＣＨは、ランダムアクセス応答に含まれる上りリンクグラントによってスケジュールされる。
【００７７】
＜本実施形態に係るシステム情報＞
システム情報は、そのシステム情報を送信するセルにおける設定を報知する情報である。システム情報は、例えば、そのセルへのアクセスに関する情報、セル選択に関する情報、他ＲＡＴや他システムに関する情報、などが含まれる。
【００７８】
システム情報は、ＭＩＢ（master  information  block）とＳＩＢ（system  information  block）に分類することができる。ＭＩＢは、ＰＢＣＨによって報知される固定のペイロードサイズの情報である。ＭＩＢには、ＳＩＢを取得するための情報が含まれる。ＳＩＢは、ＭＩＢ以外のシステム情報である。ＳＩＢは、ＰＤＳＣＨによって報知される。
【００７９】
また、システム情報は、第一のシステム情報と第二のシステム情報と第三のシステム情報に分類することができる。第一のシステム情報及び第二のシステム情報は、そのセルへのアクセスに関する情報、その他のシステム情報の取得に関する情報、及びセル選択に関する情報が含まれる。ＬＴＥにおいて、ＭＩＢに含まれる情報が第一のシステム情報、ＳＩＢ１及びＳＩＢ２に含まれる情報が第二のシステム情報であるとみなすことができる。端末装置は、そのセルから第一のシステム情報及び第二のシステム情報の全てを取得できなかった場合は、そのセルへのアクセスは禁止されていると想定する。
【００８０】
ＭＩＢは、システム情報を受信するのに必要な物理層の情報であり、下りリンクのシステム帯域幅、システムフレーム番号の一部、ＳＩＢのスケジューリング情報、などが含まれる。
【００８１】
ＳＩＢ１は、セルのアクセス規制情報とＳＩＢ１以外のシステム情報のスケジューリング情報であり、セルのアクセス情報、セル選択情報、最大上りリンク送信電力情報、ＴＤＤ設定情報、システム情報の周期、システム情報のマッピング情報、ＳＩ窓の長さ、などが含まれる。
【００８２】
ＳＩＢ２は、接続禁止情報、共通の無線リソース設定情報（radioResourceConfigCommon）、上りリンクキャリア情報、などが含まれる。セル共通の無線リソース設定情報の中には、セル共通のＰＲＡＣＨ及びＲＡＣＨの設定情報が含まれる。端末装置２００は、初期アクセスの際に、そのＰＲＡＣＨ及びＲＡＣＨの設定情報に基づいてランダムアクセス手続きを行う。
【００８３】
＜本実施形態に係るＮＲのシステム情報＞
ＮＲにおいても、システム情報はＮＲセルから報知される。
【００８４】
システム情報を運ぶ物理チャネルは、スロット又はミニスロットで送信されてもよい。ミニスロットとは、スロットのシンボル数よりも少ないシンボル数で定義される。ミニスロットでシステム情報を運ぶ物理チャネルが送信されることで、ビームスイープに必要な時間が短縮されて、オーバヘッドを縮小することができる。
【００８５】
第一のシステム情報は、ＮＲ−ＰＢＣＨで送信され、第二のシステム情報は、ＮＲ−ＰＢＣＨとは異なる物理チャネルで送られる。
【００８６】
＜本実施形態に係るＲＡＣＨプロシージャ＞
ＲＡＣＨプロシージャは、アイドル状態から非アクティブ状態又は接続状態へのＲＲＣ接続セットアップ、非アクティブ状態から接続状態への状態遷移の要求、接続セルを切り替えるハンドオーバ、上りリンクデータ送信のためのリソース要求を行うスケジューリングリクエスト、上りリンクの同期を調整するタイミングアドバンス調整、送信されていないシステム情報を要求するオンデマンドＳＩ要求、途切れたビーム接続の復帰（ビームリカバリー）、などの目的を達成するために行われる。
【００８７】
アイドル状態から非アクティブ状態又は接続状態へのＲＲＣ接続セットアップは、トラフィックの発生などに応じて端末装置２００が基地局装置１００との接続する際に行われる動作である。具体的には、基地局装置１００から端末装置２００に対して接続に関する情報（例えば、ＵＥコンテキスト）を渡す動作である。ＵＥコンテキストは、基地局装置１００から指示された所定の端末装置識別情報（例えば、Ｃ−ＲＮＴＩ）で管理される。端末装置２００は、この動作を終えると、アイドル状態から非アクティブ状態、又は、アイドル状態から接続状態へ状態遷移する。
【００８８】
非アクティブ状態から接続状態への状態遷移の要求は、トラフィックの発生などに応じて非アクティブ状態から接続状態への状態遷移の要求を行う動作である。接続状態に遷移することで、端末装置２００は基地局装置１００とユニキャストデータの送受信を行うことができる。
【００８９】
接続セルを切り替えるハンドオーバは、端末装置２００の移動など電波環境の変化などにより接続しているセル（サービング）からそのセルと隣接しているセル（ネイバーセル）へ接続を切り替える動作である。基地局装置１００からハンドオーバコマンドを受信した端末装置２００は、ハンドオーバコマンドによって指定されたネイバーセルに接続要求を行う。
【００９０】
スケジューリングリクエストは、トラフィックの発生などに応じて上りリンクデータ送信のためのリソース要求を行う動作である。基地局装置１００は、このスケジューリングリクエストを正常に受信した後、その端末装置２００に対してＰＵＳＣＨのリソースを割り当てる。なお、スケジューリングリクエストはＰＵＣＣＨによっても行われる。
【００９１】
上りリンクの同期を調整するタイミングアドバンス調整は、伝搬遅延によって生じる下りリンクと上りリンクのフレームの誤差を調整するための動作である。端末装置２００は、下りリンクフレームに調整されたタイミングでＰＲＡＣＨを送信する。これにより、基地局装置１００は、その端末装置２００との伝搬遅延を認識することができ、メッセージ２などでタイミングアドバンスの値をその端末装置２００に指示することができる。
【００９２】
送信されていないシステム情報を要求するオンデマンドＳＩ要求は、システム情報のオーバヘッド等の目的で送信されていないシステム情報が端末装置２００にとって必要であった場合に、基地局装置１００へシステム情報の送信を要求する動作である。
【００９３】
途切れたビーム接続の復帰（ビームリカバリー）は、ビームが確立された後に端末装置２００の移動や他の物体による通信経路の遮断などで、通信品質が低下した場合に、復帰要求を行う動作である。この要求を受けた基地局装置１００は、異なるビームを用いて端末装置２００と接続を試みる。
【００９４】
ＲＡＣＨプロシージャには、更に、衝突ベースＲＡＣＨプロシージャと、非衝突ＲＡＣＨプロシージャが存在する。
【００９５】
衝突ベースＲＡＣＨプロシージャは、端末装置２００主導で行われるＲＡＣＨプロシージャである。衝突ベースＲＡＣＨプロシージャは、端末装置２００からのメッセージ１の送信から始まる４ステップのプロシージャである。端末装置２００は、予め設定された複数のＲＡＣＨリソース及び複数のＰＲＡＣＨプリアンブルから選択し、ＰＲＡＣＨを送信する。これらの複数のＲＡＣＨリソース及び複数のＰＲＡＣＨプリアンブルは、他の端末装置２００と共有するため、ＰＲＡＣＨが衝突することがある。
【００９６】
図８は、本実施形態に係る衝突ベースＲＡＣＨプロシージャの流れの一例を示すシーケンス図である。図８に示すように、まず、端末装置２００は、メッセージ１とも称されるランダムアクセスプリアンブルを基地局装置１００に送信する（ステップＳ２０２）。次いで、基地局装置１００は、メッセージ２とも称されるランダムアクセス応答を端末装置２００に送信する（ステップＳ２０４）。次に、端末装置２００は、メッセージ３とも称されるＲＲＣ接続要求のＲＲＣメッセージを基地局装置１００に送信する（ステップＳ２０６）。そして、基地局装置１００は、メッセージ４とも称される衝突解決を端末装置２００に送信する（ステップＳ２０８）。
【００９７】
非衝突ＲＡＣＨプロシージャは、基地局装置１００主導で行われるＲＡＣＨプロシージャである。非衝突ＲＡＣＨプロシージャは、基地局装置１００からのＰＤＣＣＨオーダーの送信から始まる計３ステップのプロシージャである。端末装置２００は、ＰＤＣＣＨオーダーで指示されたＰＲＡＣＨを用いてランダムアクセスプリアンブルを送信する。基地局装置１００がランダムアクセスプリアンブルをスケジュールすることで、ＰＲＡＣＨが衝突することが起こり辛い。
【００９８】
図９は、本実施形態に係る非衝突ＲＡＣＨプロシージャの流れの一例を示すシーケンス図である。図９に示すように、まず、基地局装置１００は、ＰＤＣＣＨオーダーを端末装置２００に送信する（ステップＳ３０２）。次いで、端末装置２００は、ランダムアクセスプリアンブルを基地局装置１００に送信する（ステップＳ３０４）。そして、基地局装置１００は、ランダムアクセス応答を端末装置２００に送信する（ステップＳ３０６）。
【００９９】
＜本実施形態に係るＮＲのＰＲＡＣＨの詳細＞
ＮＲ−ＰＲＡＣＨは、Zadoff-Chu系列又はM系列を用いて構成される。ＮＲ−ＰＲＡＣＨでは、複数のプリアンブルフォーマットが規定される。プリアンブルフォーマットは、ＰＲＡＣＨのサブキャリア間隔、送信帯域幅、系列長、送信に用いられるシンボル数、送信繰り返し数、ＣＰ長、ガードピリオド長、などのパラメータの組み合わせで規定される。なお、プリアンブルフォーマットによって、ＮＲ−ＰＲＡＣＨの送信に用いられる系列のタイプ（Zaddoff-Chu系列又はM系列）が指定されてもよい。
【０１００】
アイドルモードの端末装置２００に対して、システム情報によってＮＲ−ＰＲＡＣＨに関する設定がされる。更に、接続モードの端末装置２００に対して、専用ＲＲＣシグナリングによってＮＲ−ＰＲＡＣＨに関する設定がされる。
【０１０１】
ＮＲ−ＰＲＡＣＨは、ＮＲ−ＰＲＡＣＨが送信可能な物理リソース（ＮＲ−ＰＲＡＣＨオケージョン（occasion））によって送信される。その物理リソースは、ＮＲ−ＰＲＡＣＨに関する設定によって指示される。端末装置２００は、その物理リソースのうちのいずれかを選択して、ＮＲ−ＰＲＡＣＨを送信する。更に、接続モードの端末装置２００は、ＮＲ−ＰＲＡＣＨリソースを用いてＮＲ−ＰＲＡＣＨを送信する。ＮＲ−ＰＲＡＣＨリソースは、ＮＲ−ＰＲＡＣＨプリアンブル及びその物理リソースの組み合わせである。基地局装置１００は、ＮＲ−ＰＲＡＣＨリソースを端末装置２００に指示することができる。
【０１０２】
ＮＲ−ＰＲＡＣＨのプリアンブルの系列の種類は、番号付けられる。そのプリアンブルの系列の種類の番号は、プリアンブルインデックスと呼称される。
【０１０３】
ＮＲ−ＰＲＡＣＨは、ランダムアクセス手続きが失敗した際に、再送される。端末装置２００は、再送する際に、バックオフの値（バックオフインディケータ、ＢＩ）から算出される待機期間、ＮＲ−ＰＲＡＣＨの送信を待機する。なお、バックオフの値は、端末装置２００の端末カテゴリや発生したトラヒックの優先度によって異なってもよい。その際、バックオフの値は複数通知され、端末装置２００が優先度によって用いるバックオフの値を選択する。また、ＮＲ−ＰＲＡＣＨの再送を行う際に、ＮＲ−ＰＲＡＣＨの送信電力を初送と比較して上げる（この手続きは、パワーランピング（power  ramping）と呼称される）。
【０１０４】
＜本実施形態に係るＮＲのランダムアクセス応答の詳細＞
ＮＲのランダムアクセス応答は、ＮＲ−ＰＤＳＣＨによって送られる。
【０１０５】
ランダムアクセス応答を含むＮＲ−ＰＤＳＣＨは、ＲＡ−ＲＮＴＩによってＣＲＣがスクランブルされたＮＲ−ＰＤＣＣＨによってスケジュールされる。そのＮＲ−ＰＤＣＣＨは、共通制御サブバンドで送信される。そのＮＲ−ＰＤＣＣＨは、ＣＳＳ（共通サーチスペース）に配置される。なお、そのＲＡ−ＲＮＴＩの値は、そのランダムアクセス応答に対応するＮＲ−ＰＲＡＣＨの送信リソース（時間リソース（スロット又はサブフレーム）、及び、周波数リソース（リソースブロック））に基づいて決定される。なお、そのＮＲ−ＰＤＣＣＨは、ランダムアクセス応答に紐づくＮＲ−ＰＲＡＣＨに対応付けられたサーチスペースに配置されてもよい。具体的には、そのＮＲ−ＰＤＣＣＨが配置されるサーチスペースは、ＮＲ−ＰＲＡＣＨのプリアンブル及び／又はＮＲ−ＰＲＡＣＨが送信された物理リソースに関連付けられて設定される。そのＮＲ−ＰＤＣＣＨが配置されるサーチスペースは、そのプリアンブルインデックス、及び／又は、その物理リソースのインデックスに関連付けられて設定される。
【０１０６】
そのＮＲ−ＰＤＣＣＨは、ＮＲ−ＳＳとＱＣＬである。
【０１０７】
ＮＲのランダムアクセス応答は、ＭＡＣの情報である。ＮＲのランダムアクセス応答は、少なくとも、ＮＲのメッセージ３を送信するための上りリンクグラント、上りリンクのフレーム同期を調整するために用いられるタイミングアドバンスの値、一時的Ｃ−ＲＮＴＩの値、が含まれる。また、ＮＲのランダムアクセス応答は、そのランダムアクセス応答に対応するＮＲ−ＰＲＡＣＨ送信に用いられたＰＲＡＣＨインデックスが含まれる。また、ＮＲのランダムアクセス応答は、ＰＲＡＣＨの送信の待機に用いられるバックオフに関する情報が含まれる。基地局装置１００は、これらの情報を含めて、ＮＲ−ＰＤＳＣＨによって送信する。端末装置２００は、これらの情報から、ランダムアクセスプリアンブルの送信の成功可否の判断を行う。この情報により、ランダムアクセスプリアンブルの送信が失敗したと判断した場合、端末装置２００は、ランダムアクセス応答に含まれる情報に従ってＮＲのメッセージ３の送信処理を行う。一方で、ランダムアクセスプリアンブルの送信が失敗したと判断した場合、端末装置２００は、ランダムアクセス手続きが失敗したとみなし、ＮＲ−ＰＲＡＣＨの再送処理を行う。
【０１０８】
なお、ＮＲのランダムアクセス応答に、ＮＲのメッセージ３を送信するための上りリンクグラントが複数含まれても良い。端末装置２００は、その複数の上りリンクグラントからメッセージ３を送信するリソースを１つ選択することができる。これにより、異なる端末装置２００で、同じＮＲのランダムアクセス応答を受信した場合における、ＮＲのメッセージ３送信の衝突を緩和することができ、より安定的なランダムアクセス手続きが提供することができる。
【０１０９】
＜本実施形態に係るＮＲのメッセージ３の詳細＞
ＮＲのメッセージ３は、ＮＲ−ＰＵＳＣＨによって送られる。そのＮＲ−ＰＵＳＣＨは、ランダムアクセス応答によって指示されたリソースを用いて送信される。
【０１１０】
ＮＲのメッセージ３は、ＲＲＣ接続要求メッセージを含む。
【０１１１】
ＮＲのメッセージ３を含んで送信されるＮＲ−ＰＵＳＣＨのWaveformは、システム情報に含まれるパラメータによって指示される。具体的には、そのパラメータの指示によって、ＯＦＤＭもしくはＤＦＴ−ｓ−ＯＦＤＭが決定される。
【０１１２】
基地局装置１００は、ＮＲのメッセージ３を正常に受信した場合には、衝突解決の送信処理に移行する。一方で、基地局装置１００は、ＮＲのメッセージ３を正常に受信できなかった場合には、少なくとも所定の期間、再度ＮＲのメッセージ３の受信を試みることができる。
【０１１３】
ＮＲのメッセージ３を正常に受信できなかった後の処理の具体的な一例として、基地局装置１００は、端末装置２００に対してメッセージ３の再送の指示を行う。基地局装置１００は、メッセージ３の送信を指示したリソースから所定数のスロット（もしくはサブフレーム、無線フレーム）後の下りリンクリソースを用いて、メッセージ３の再送の指示を送信する。
【０１１４】
メッセージ３の再送及び送信リソースの指示の一例として、ランダムアクセス応答の再送による指示が挙げられる。
【０１１５】
その再送されるランダムアクセス応答を含むＮＲ−ＰＤＳＣＨは、ＲＡ−ＲＮＴＩによってＣＲＣがスクランブルされたＮＲ−ＰＤＣＣＨによってスケジュールされる。そのＲＡ−ＲＮＴＩの値は、初送で用いられたＲＡ−ＲＮＴＩの値と同じ値が用いられる。すなわち、そのランダムアクセス応答に対応するＮＲ−ＰＲＡＣＨの送信リソースに基づいて決定される。もしくは、ＲＡ−ＲＮＴＩの値は、ＮＲ−ＰＲＡＣＨの送信リソースに加えて初送と再送を識別する情報に基づいて決定されてもよい。そのＮＲ−ＰＤＣＣＨは、ＣＳＳ（共通サーチスペース）に配置される。
【０１１６】
又は、その再送されるランダムアクセス応答を含むＮＲ−ＰＤＳＣＨは、初送で送信されたランダムアクセス応答に含まれる一時的Ｃ−ＲＮＴＩ又はＣ−ＲＮＴＩによってＣＲＣがスクランブルされたＮＲ−ＰＤＣＣＨによってスケジュールされる。
【０１１７】
メッセージ３の再送の指示及び送信リソースの別の一例として、メッセージ３の再送の指示に用いられるＮＲ−ＰＤＣＣＨによる指示が挙げられる。そのＮＲ−ＰＤＣＣＨは、上りリンクグラントである。そのＮＲ−ＰＤＣＣＨのＤＣＩによって、メッセージ３の再送のリソースが指示される。端末装置２００は、その上りリンクグラントの指示に基づいて、メッセージ３の再送を行う。
【０１１８】
ＮＲのメッセージ３を正常に受信できなかった後の処理の具体的な一例として、基地局装置１００は、事前に指示した再送用リソースにおいてメッセージ３の受信を試みる。
【０１１９】
端末装置２００は、所定期間内にメッセージ３の送信後に基地局装置１００から衝突解決が送信されなかった場合、その事前に指示された再送用リソースを用いてメッセージ３を含んだＮＲ−ＰＵＳＣＨを送信する。
【０１２０】
又は、端末装置２００は、メッセージ３に対するＮＡＣＫを受信した場合、そのＮＡＣＫに対応する事前に指示された再送用リソースを用いてメッセージ３を含んだＮＲ−ＰＵＳＣＨを送信する。
【０１２１】
その事前に指示する再送用リソースは、例えば、システム情報、又は、ランダムアクセス応答に含まれる。
【０１２２】
なお、ＮＲのメッセージ３の再送回数が所定回を超えた場合、又は、所定の期間内にＮＲの衝突解決の受信が成功しなかった場合、端末装置２００は、ランダムアクセス手続きが失敗したとみなし、ＮＲ−ＰＲＡＣＨの再送処理を行う。
【０１２３】
なお、ＮＲのメッセージ３の再送に用いられる端末装置２００の送信ビームは、そのメッセージ３の初送に用いられた端末装置２００の送信ビームと異なってもよい。
【０１２４】
なお、所定期間のうちに、ＮＲの衝突解決及びメッセージ３の再送の指示のいずれも受信できなかった場合、端末装置２００は、ランダムアクセス手続きが失敗したとみなし、ＮＲ−ＰＲＡＣＨの再送処理を行う。その所定期間は、例えば、システム情報によって設定される。
【０１２５】
＜本実施形態に係るＮＲの衝突解決の詳細＞
ＮＲの衝突解決は、ＮＲ−ＰＤＳＣＨによって送られる。
【０１２６】
衝突解決を含むＮＲ−ＰＤＳＣＨは、一時的Ｃ−ＲＮＴＩ又はＣ−ＲＮＴＩによってＣＲＣがスクランブルされたＮＲ−ＰＤＣＣＨによってスケジュールされる。そのＮＲ−ＰＤＣＣＨは、共通制御サブバンドで送信される。そのＮＲ−ＰＤＣＣＨは、ＵＳＳ（端末固有サーチスペース）に配置される。なお、そのＮＲ−ＰＤＣＣＨは、ＣＳＳに配置されてもよい。
【０１２７】
端末装置２００は、衝突解決を含むＮＲ−ＰＤＳＣＨを正常に受信した場合、基地局装置１００に対してＡＣＫを応答する。以降、このランダムアクセス手続きが成功したとみなし、端末装置２００は接続状態となる。一方で、端末装置２００から衝突解決を含むＮＲ−ＰＤＳＣＨに対するＮＡＣＫを受信した、又は、無応答であった場合には、基地局装置１００は、その衝突解決を含むＮＲ−ＰＤＳＣＨを再送する。更に、所定期間のうちに、ＮＲの衝突解決が受信できなかった場合、端末装置２００は、ランダムアクセス手続きが失敗したとみなし、ＮＲ−ＰＲＡＣＨの再送処理を行う。
【０１２８】
＜本実施形態に係る上りリンク同期調整＞
複数の端末装置２００からの上りリンク信号は、基地局装置１００において同一のタイミングで受信されることが望ましい。そのためには、基地局装置１００までの距離の差に起因する伝搬遅延差を考慮した、上りリンク信号の送信タイミングの調整が行われる。この点について、図１０を参照して説明する。
【０１２９】
図１０は、本実施形態に係る上りリンク同期調整の一例を説明するための図である。図１０に示す例では、基地局装置１００が提供するセル９０内の、基地局装置１００の近傍に端末装置２００Ａが位置し、基地局装置１００から遠方に端末装置２００Ｂが位置している。これらの端末装置２００が同時に上りリンク通信を行う場合を想定する。端末装置２００Ａ及び２００Ｂが下りリンク同期タイミングに基づく送信タイミングで上りリンク信号を送信した場合、異なる伝搬遅延及び端末装置２００に固有の処理遅延などに起因して、各々の上りリンク信号は、基地局装置１００により異なる受信タイミングで受信される。各々の上りリンク信号の受信タイミングが異なる場合、シンボル間干渉が生じ、特性が劣化し得る。
【０１３０】
そこで、端末装置２００の上りリンク信号の送信タイミングは、基地局装置１００の下りリンク信号の送信タイミング及び上りリンク信号の受信タイミングが揃うように前倒して調整される。
【０１３１】
図１１は、本実施形態に係る上りリンク同期調整の一例を説明するための図である。図１１では、上から１段目に基地局装置１００の下りリンク送信タイミングが示され、上から２段目に端末装置２００の下りリンク受信タイミングが示されている。また、上から３段目に端末装置２００の上りリンク送信タイミングが示され、上から４段目に基地局装置１００の上りリンク受信タイミングが示されている。各段は複数の矩形から成り、ひとつの矩形はひとつの無線フレームを示している。１段目及び２段目に示すように、基地局装置１００からの下りリンク信号は、伝搬遅延及び端末装置２００の処理遅延などの影響により、所定時間遅れて端末装置２００に受信される。端末装置２００は、下りリンク信号が受信されたタイミングを基準とし、基地局装置１００から指示されたタイミングアドバンス値を用いて上りリンク送信タイミングを調整する。詳しくは、３段目に示すように、端末装置２００は、対応する下りリンク信号の受信タイミングよりも、タイミングアドバンス値分前倒しして上りリンク物理信号を送信する。これにより、４段目に示すように、調整された端末装置２００の上りリンク信号は、下りリンク送信タイミングと同一のタイミングで基地局装置１００に受信される。
【０１３２】
なお、タイミングアドバンス値は片道の遅延時間のおおよそ２倍として計算される。
【０１３３】
タイミングアドバンス値は、端末装置２００に固有である。タイミングアドバンス値は、端末装置２００に固有に通知される。
【０１３４】
タイミングアドバンス値の計算には、ＰＲＡＣＨが用いられる。タイミングアドバンス値の通知には、ランダムアクセス応答（ＲＡＲ）が用いられる。以下、図１２を参照して、基地局装置１００よるタイミングアドバンス値の計算、及び端末装置２００によるタイミングアドバンス値の適用に関するプロシージャの一例を説明する。
【０１３５】
図１２は、本実施形態に係る上りリンク同期調整プロシージャの流れの一例を示すシーケンス図である。図１２に示すように、基地局装置１００は、下りリンク同期信号（ＰＳＳ（primary  synchronization  signal）及びＳＳＳ（secondary  synchronization  signal））を端末装置２００に送信する（ステップＳ４０２）。次いで、端末装置２００は、基地局装置１００から送信された下りリンク同期信号に基づいて、下りリンク同期を行う（ステップＳ４０４）。次に、基地局装置１００は、システム情報（ＭＩＢ及びＳＩＢ）を送信する（ステップＳ４０６）。次いで、端末装置２００は、システム情報を受信し、受信したシステム情報からＲＡＣＨ設定を取得する（ステップＳ４０８）。次に、端末装置２００は、下りリンク同期信号によって同期されたフレームタイミングを基準としてＰＲＡＣＨを送信する（ステップＳ４１０）。基地局装置１００は、ＰＲＡＣＨの受信タイミングと基地局装置１００の上りリンクフレームのタイミングとの差分に基づいて、伝搬遅延及びタイミングアドバンス値を計算する（ステップＳ４１２）。そして、基地局装置１００はランダムアクセスレスポンス（ＲＡＲ）にタイミングアドバンス値を含めて端末装置２００に送信する（ステップＳ４１４）。次いで、端末装置２００は、受信したＲＡＲからタイミングアドバンス値を取得し、上りリンク送信タイミングを前倒しするように調整する（ステップＳ４１６）。以降、端末装置２００は、ステップＳ４１６において調整された上りリンク送信タイミングで、ＰＵＳＣＨ、ＰＵＣＣＨ及びＳＲＳなどの上りリンク物理チャネル／信号を送信する（ステップＳ４１８）。
【０１３６】
＜本実施形態に係る非地上波ネットワーク＞
セルラー移動通信では、地上に設置された基地局装置又はリレー装置（以下、地上局装置と呼称する）からセル（マクロセル、マイクロセル、フェムトセル、又はスモールセル）を構成し、無線ネットワークを構成する。この地上局から提供される無線ネットワークは、地上波ネットワーク（Terrestrial  Network）と呼称される。一方で、基地局装置のコスト削減や基地局装置から電波が届き辛い地域へのカバレッジの提供などの要求から、地球を周回する衛星局装置（衛星基地局装置、衛星リレー局装置、宇宙局）、航空機（aerial  vehicle）、又はドローン等の空中を浮遊する装置等の、地上局装置以外からの無線ネットワークの提供が検討されている。この地上局装置以外から提供される無線ネットワークを非地上波ネットワーク（Non-Terrestrial  Network）と呼称される。
【０１３７】
非地上局装置としては、衛星局装置及び航空局装置が挙げられる。衛星局装置は、人工衛星など大気圏外を浮遊する装置として構成された、無線通信の機能を有する装置である。本実施形態に係る衛星局装置は、低軌道（LEO、Low  Earth  Orbiting）衛星、中軌道（MEO、Medium  Earth  Orbiting）衛星、静止（GEO、Geostationary  Earth  Orbiting）衛星、又は高楕円軌道（HEO、Highly  Elliptical  Orbiting）衛星等により構成され得る。航空局装置は、航空機又は気球など大気圏内を浮遊する装置として構成された、無線通信の機能を有する装置である。本実施形態に係る航空局装置は、無人航空システム（UAS、Unmanned  Aircraft  Systems）、つなぎ無人航空システム（tethered  UAS）、軽無人航空システム（Lighter  than  Air  UAS、LTA）、重無人航空システム（Heavier  than  Air  UAS、HTA）、又は高高度無人航空システムプラットフォーム（High  Altitude  UAS  Platforms、HAPs）等により構成され得る。
【０１３８】
図１３は、本実施形態に係る非地上波ネットワークの一例を示す図である。図１３に示したシステム１は、静止衛星として構成された衛星局装置１０Ａ、低軌道衛星として構成された衛星局装置１０Ｂ〜１０Ｄ、無人航空システムとして構成された航空局装置２０を含む、非地上波ネットワークである。これらの衛星局装置１０及び航空局装置２０は、リレー局３０を介して地上に設けられた装置に接続される。例えば、衛星局装置１０及び航空局装置２０は、リレー局３０Ａを介してコアネットワーク３１に接続され、コアネットワーク３１を介してインターネット３２及び地上波ネットワーク３３に接続される。また、衛星局装置１０Ａ及び１０Ｂは、リレー局３０Ｂを介して、フェムトセルを提供するフェムトセル基地局４０Ａに接続される。リレー局３０は、地球局（Very  Small  Aperture  Terminal：VSAT）とも称され、さらに他にも制御地球局、又はＨＵＢ局とも称され得る。衛星局装置１０及び航空局装置２０は、ＶＳＡＴ３０を介さずに、地上に設けられた装置と直接的に接続されてもよい。例えば、衛星局装置１０Ｂ及び航空局装置２０は、マクロセル基地局４０Ｂに直接的に接続される。
【０１３９】
衛星局装置１０及び航空局装置２０は、非地上波ネットワークに対応する端末装置（地球端末装置とも称される）４０と通信する。地球端末装置４０は、携帯電話、スマートフォン、自動車、バス、電車、航空機、Ｍ２Ｍ（Machine  to  Machine）デバイス、ＩｏＴ（Internet  of  Things）デバイス、衛星通信をリレーするリレー局、衛星通信を送受信する基地局装置を含む。図１３に示した例では、マクロセル基地局４０Ｂ、ＵＥ４０Ｃが、地球端末装置４０に相当する。ＶＳＡＴ３０Ｂによるリレーを介して非地上波ネットワークに接続するフェムトセル基地局４０Ａ、及びＵＥ４０Ｃによるリレーを介して非地上波ネットワークに接続するＵＥ４０Ｄも、非地上波ネットワークに対応する地球端末装置４０として捉えられてもよい。
【０１４０】
衛星局装置１０及び航空局装置２０は、地球端末装置４０との間で、上りリンクトラフィック及び下りリンクトラフィックを送受信し得る。例えば、衛星局装置１０Ａ及び１０Ｂ並びに航空局装置２０は、ＵＥ４０Ｃとの間で上りリンクトラフィック及びダウンリンクトラフィックを送受信する。
【０１４１】
衛星局装置１０及び航空局装置２０は、地球端末装置４０との間でバックホールトラフィック（換言すると、バックホール信号）を送受信し得る。例えば、衛星局装置１０Ａ及び１０Ｂは、フェムトセル基地局４０ＡとＵＥ４０Ｃとの間で行われる通信のためのバックホールトラフィックを、ＶＳＡＴ３０Ｂを介してフェムトセル基地局４０Ａとの間で送受信する。また、衛星局装置１０Ｂ及び航空局装置２０は、マクロセル基地局４０ＢとＵＥ４０Ｃとの間で行われる通信のためのバックホールトラフィックを、マクロセル基地局４０Ｂとの間で直接的に送受信する。
【０１４２】
＜本実施形態に係る衛星通信＞
本実施形態に係る衛星通信とは、衛星局装置１０と地球端末装置４０との通信を指す。
【０１４３】
衛星局装置１０は、主に静止衛星により構成される静止衛星局装置と低軌道衛星により構成される低軌道衛星局装置とに分けられる。静止衛星局装置は、高度およそ３５７８６ｋｍに位置し、地球の自転速度と同じ速度で地球を公転する。静止衛星局装置は地球端末装置４０との相対速度がほぼ０であり、地球端末装置４０からは静止しているかのように観測される衛星局装置である。低軌道衛星局装置は、一般的には高度５００ｋｍから２０００ｋｍまでの間に位置し、静止衛星局装置に比べて低い高度で地球を公転する。低軌道衛星局装置は、静止衛星局装置とは異なり、地球端末装置４０との相対速度があり、地球端末装置４０からは移動しているかのように観測される。
【０１４４】
衛星局装置１０は、高度に応じた広さのセルを提供することができる。この点について、図１４を参照して説明する。
【０１４５】
図１４は、本実施形態に係る衛星局装置１０が提供するセルの一例を説明するための図である。図１４に示す衛星局装置１０Ａは静止衛星局装置であり、衛星局装置１０Ｂ及び１０Ｃは低軌道衛星局装置である。図１４に示すように、低軌道衛星局装置１０Ｂ及び１０Ｃは、地上のマクロセル基地局４０Ｂが提供するセル９０Ｄよりも、大きなセル９０Ｂ及び１０Ｃを提供する。さらに、静止衛星局装置１０Ａは、低軌道衛星局装置１０Ｂ及び１０Ｃが提供するセル９０Ｂ及び１０Ｃよりも、大きなセル９０Ａを提供する。
【０１４６】
セルが大きくなるほど、セル内に位置する複数の地球端末装置４０間での、衛星局装置１０までの距離の差が大きくなり、その結果、伝搬遅延の差が大きくなる。さらに、高度が高いほど、衛星局装置１０と地球端末装置４０との距離が長くなるので、伝搬遅延が大きくなる。
【０１４７】
図１５は、本実施形態に係る低軌道衛星局装置が提供するセルの一例を説明するための図である。図１５に示すように、低軌道衛星局装置１０Ｂ、１０Ｃ及び１０Ｄが、低軌道上を公転している。これらの低軌道衛星局装置１０は、地上に向けて所定の指向性を構築して、地球端末装置４０に衛星通信を提供する。図１５に示す例では、低軌道衛星局装置１０は、ビーム幅の角度を４０度として信号を送受信しており、その結果、セル９０は半径１０００ｋｍの円形となる。なお、ビーム幅の角度とは、最大指向性利得が得られる方向（図１５に示す例では鉛直線９１）を基準にした、指向性利得がその最大指向性利得の１／２になる方向の角度と定義される。なお、これらの数値はあくまで一例である。低軌道衛星局装置１０は、地上に対し所定の相対速度で移動する。そのため、低軌道衛星局装置１０が提供するセル９０は、地上を所定の速度で移動する。地球端末装置４０への衛星通信の提供が困難になった場合には、後続する低軌道衛星（neighbor  satellite  station）から衛星通信が提供される。
【０１４８】
非地上波ネットワークでは、以下の要求が満たされることが期待される。
・地上波ネットワークではカバーできないエリアに位置する端末装置（主に、ＩｏＴ／ＭＴＣデバイス、及びパブリックセーフティ／クリティカル通信）へのサービス拡張
・物理攻撃又は自然災害に対するサービス脆弱性を軽減するためのサービス信頼性及び復帰性
・飛行機の乗客又はドローンなどの航空端末装置へのサービス接続及び提供
・船又は電車などの移動体端末装置へのサービス接続及び提供
・Ａ／Ｖ（audio／visual）コンテンツ、グループ通信、ＩｏＴブロードキャストサービス、ソフトウェアダウンロード、及び緊急メッセージなどの高効率マルチキャスト／ブロードキャストサービスの提供
・地上波ネットワークと非地上波ネットワークとの間のトラフィックオフロード
【０１４９】
これらの要求条件を満たすために、非地上波ネットワークは、上位層での運用統合、及びＮＲ又はＬＴＥなどの無線アクセス技術との間での無線インタフェースの共通性が、実現されることが望ましい。
【０１５０】
＜＜２．技術的課題＞＞
高いスループットを達成するためには、通信環境に応じた適応制御が有効的である。例えば、地上の基地局装置と端末装置との通信に適用される通常のＬＴＥ及びＮＲでは、密なフィードバックに基づく適応制御が行われている。例えば、通常のＬＴＥでは、ＣＳＩフィードバックのラウンドトリップタイムが最大５ｍｓ程度である。更に、ＮＲでは、ＣＳＩフィードバックのラウンドトリップタイムをより短くすることが可能である。そのため、細かくチャネル状況を更新しながら、チャネル状況に応じた適応制御を実現することができる。また、通常のＬＴＥ及びＮＲでは上りリンクグラントから上りリンク送信までのラウンドトリップタイムが最大４ｍｓ程度と短いため、上りリンク送信の送信パラメータが決定された時点から比較した上りリンク送信時点での通信環境の変化は小さい。端末装置に対して送信パラメータを適宜指示することで、細やかな適応制御を実現することができる。
【０１５１】
一方で、衛星通信では細かいフィードバックによる適応制御が困難である。その理由は、第１に通信環境が高速で変化すること、第２に伝搬遅延が大きいことである。
【０１５２】
まず、第１の理由について説明する。同じ軌道で公転する同じ衛星局装置でも、衛星局装置と地上の端末装置との間の距離が、最大６００ｋｍ変化する。かかる距離の変化に起因して伝搬遅延が最大２．３ｍｓ変化するため、地上の端末装置から衛星局装置への送信に係る同期に大きな影響がある。また、かかる距離の変化に起因してパスロスが大きく変化するので、送信電力及び通信レートに大きな影響がある。さらに、衛星局装置と地上の端末装置との相対速度が高速であるほど、上記の通信環境の変化が高速に生じる。例えば、低軌道衛星局装置は、秒速７．６ｋｍで移動しており、上記の通信環境の変化が高速に生じる。
【０１５３】
次いで、第２の理由について説明する。衛星局装置は高い軌道上を公転しているので、地上の端末装置までの距離が長く、伝搬遅延が大きい。そのため、ラウンドトリップ遅延も非常に大きい。例えば、地上の端末装置がＣＳＩを測定して衛星局装置にフィードバックしたとしても、衛星局装置がかかる測定結果に基づいて通信する頃には、通信環境が変化してしまっている。即ち、ＣＳＩの測定結果が、意味のある情報とは言えない。別の例として、上りリンク送信の送信パラメータは端末装置から送信される上りリンク参照信号に基づいて決定され、端末装置に指示されるが、衛星通信の場合、伝搬遅延に起因して、送信パラメータの決定後から端末装置が上りリンク送信を開始するまでに大きなラウンドトリップ遅延が発生する。そのため、上りリンク送信の送信パラメータの決定時に定めたパラメータが、端末装置の上りリンク送信時に適切なパラメータであるとは言えない。
【０１５４】
そこで、本開示では、衛星通信のための適応制御の仕組みを提供する。
【０１５５】
＜＜３．機能構成例＞＞
以下、図１６及び図１７を参照して、本実施形態に係る衛星局装置１０及び地球端末装置４０の機能構成の一例を説明する。
【０１５６】
（１）衛星局装置１０の機能構成
図１６は、本実施形態に係る衛星局装置１０の機能構成の一例を説明するための図である。図１６に示すように、本実施形態に係る衛星局装置１０は、取得部１１、設定部１２及びメッセージ送受信部１３を含む。なお、図１６に示した各構成要素は、図５に示した上位層処理部１０１又は制御部１０３等の任意の構成要素において実装され得る。即ち、本実施形態では、図５に示した基地局装置１００が、衛星局装置１０として構成されるものとする。
【０１５７】
・取得部１１
取得部１１は、地球端末装置４０により衛星局装置１０へのチャネル又は信号が送信される際に用いられる、送信パラメータを決定（換言すると、計算）するための情報を取得する機能を有する。
【０１５８】
取得部１１は、衛星局装置１０の位置情報及び後述する軌道情報を取得し得る。例えば、取得部１１は、複数の地上の基準とされる場所又は地点（例えば、ＶＳＡＴ３０）の絶対的な位置情報と、それらの基準とされる場所又は地点との相対的な位置関係とに基づいて、衛星局装置１０の位置情報を取得してもよい。また、取得部１１は、他の静止衛星との相対的な位置関係と当該他の静止衛星の軌道情報に基づいて、衛星局装置１０の位置情報を取得してもよい。軌道情報は、衛星局装置１０に予め設定又は記憶される。
【０１５９】
取得部１１は、衛星局装置１０と地球端末装置４０との間の通信に係るチャネル品質を取得してもよい。例えば、衛星局装置１０は、地球端末装置４０から衛星局装置１０へ送信される測定用信号に基づいて、チャネル品質を測定する。測定用信号は、例えばＳＲＳであってもよい。
【０１６０】
取得部１１は、地球端末装置４０の位置情報を取得し得る。例えば、取得部１１は、地球端末装置４０から地球端末装置４０の位置情報を受信してもよい。また、取得部１１は、地球端末装置４０をビームトラッキングする際に同定した、地球端末装置４０を捉える送信ビーム又は受信ビームに基づいて、地球端末装置４０の位置情報を取得してもよい。
【０１６１】
・設定部１２
設定部１２は、取得部１１により取得された情報に基づいて、地球端末装置４０から衛星局装置１０へのチャネル／信号の送信に用いられる送信パラメータに関する設定情報を生成する機能を有する。設定部１２は、衛星局装置１０が送信パラメータの決定主体である場合、送信パラメータを決定（換言すると、計算）して、決定した送信パラメータを含む設定情報を生成する。一方で、設定部１２は、地球端末装置４０が送信パラメータの決定主体である場合、地球端末装置４０による送信パラメータの決定のための情報を含む、設定情報を生成する。設定部１２は、生成した設定情報を地球端末装置４０へ送信する。
【０１６２】
・メッセージ送受信部１３
メッセージ送受信部１３は、設定部１２による設定に基づいて、地球端末装置４０との間でメッセージを送受信する機能を有する。具体的には、メッセージ送受信部１３は、上記設定情報に基づく送信パラメータを用いて地球端末装置４０により送信されたチャネル／信号を受信する。その際、メッセージ送受信部１３は、地球端末装置４０に用いられる送信パラメータに対応する受信パラメータを用いて受信する。例えば、メッセージ送受信部１３は、地球端末装置４０により用いられた変調方式及び符号化率に応じた受信処理を行う。
【０１６３】
（２）地球端末装置４０の機能構成
図１７は、本実施形態に係る地球端末装置４０の機能構成の一例を説明するための図である。図１７に示すように、本実施形態に係る地球端末装置４０は、取得部４１、設定部４２及びメッセージ送受信部４３を含む。なお、図１７に示した各構成要素は、図６に示した上位層処理部２０１又は制御部２０３等の任意の構成要素において実装され得る。即ち、本実施形態では、図６に示した端末装置２００が、地球端末装置４０として構成されるものとする。
【０１６４】
・取得部４１
取得部４１は、地球端末装置４０により衛星局装置１０へのチャネル又は信号が送信される際に用いられる、送信パラメータを決定するための情報を取得する機能を有する。
【０１６５】
取得部４１は、衛星局装置１０から地球端末装置４０へ送信された設定情報を取得する。
【０１６６】
取得部４１は、地球端末装置４０の位置情報を取得し得る。取得部４１は、ＧＮＳＳ（Global  Navigation  Satellite  System）衛星から受信したＧＮＳＳ信号に基づいて位置情報を取得してもよい。また、取得部４１は、衛星局装置１０から受信した同期情報に基づいて位置情報を取得してもよい。また、取得部４１は、衛星局装置１０から受信したポジショニング参照信号に基づいて位置情報を取得してもよい。
【０１６７】
・設定部４２
設定部４２は、取得部４１により取得された情報に基づいて、地球端末装置４０から衛星局装置１０へのチャネル／信号の送信に用いられる送信パラメータを設定する機能を有する。設定部４２は、衛星局装置１０が送信パラメータの決定主体である場合、設定情報に含まれる、衛星局装置１０により決定された送信パラメータを設定する。一方で、設定部４２は、地球端末装置４０が送信パラメータの決定主体である場合、設定情報に基づいて、送信パラメータを決定（換言すると、計算）し、設定する。
【０１６８】
・メッセージ送受信部４３
メッセージ送受信部４３は、設定部４２による設定に基づいて、衛星局装置１０との間でメッセージを送受信する機能を有する。具体的には、メッセージ送受信部４３は、設定された送信パラメータを用いて、衛星局装置１０にチャネル／信号を送信する。
【０１６９】
（３）補足
なお、衛星局装置１０から地球端末装置４０へ送信されるチャネル／信号は、下りリンク信号（下りリンク物理チャネル又は下りリンク物理信号）であってもよいし、バックホールトラフィックであってもよい。同様に、地球端末装置４０から衛星局装置１０へ送信されるチャネル／信号は、上りリンク信号（上りリンク物理チャネル又は上りリンク物理信号）であってもよいし、バックホールトラフィックであってもよい。以下では、説明の簡易のため、衛星局装置１０から地球端末装置４０へ送信されるチャネル／信号は、下りリンク信号であり、地球端末装置４０から衛星局装置１０へ送信されるチャネル／信号は、上りリンク信号であるものとする。
【０１７０】
＜＜４．技術的特徴＞＞
＜４．１．送信パラメータの制御＞
衛星局装置１０は所定の軌道を公転する。よって、衛星局装置１０の位置は予測可能である。従って、本実施形態に係る衛星局装置１０又は地球端末装置４０は、衛星局装置１０の位置の予測に基づいて、送信パラメータの適応制御（即ち、適応的な決定）を行う。なお、制御対象は、主に、上りリンク送信のための送信パラメータである。
【０１７１】
衛星局装置１０又は地球端末装置４０は、衛星局装置１０に関する情報に基づいて、衛星局装置１０の位置を予測する。衛星局装置１０に関する情報は、衛星局装置１０の位置情報及び軌道情報を含む。軌道情報は、少なくとも衛星局装置１０の移動方向及び移動速度を示す情報を含む。そして、衛星局装置１０の位置の予測は、衛星局装置１０の現在位置に、軌道情報が示す移動速度で予測対象時刻までの時間移動した場合の移動距離を、軌道情報が示す移動方向に足し合せることで、行われる。
【０１７２】
予測対象時刻は、任意の時刻が設定され得る。例えば、上りリンク送信に関する予測対象時刻は、地球端末装置４０が送信した上りリンク信号が衛星局装置１０により受信されると予測される時刻である。時刻は、下りリンク同期によって、地球端末装置４０および衛星局装置１０の間で共有される。下りリンク同期は、衛星局装置１０から送信される同期信号（Synchronization  Signal）またはＧＮＳＳによって地球端末装置４０で行われる。
【０１７３】
送信パラメータの適応制御は、上述した衛星局装置１０の位置の予測に基づいて行われる。詳しくは、送信パラメータの適応制御は、地球端末装置４０から衛星局装置１０へ送信される上りリンク信号が衛星局装置１０により受信されると予測される時刻における、衛星局装置１０の位置の予測に基づいて行われる。即ち、衛星局装置１０が上りリンク信号を受信すると予測される時刻において位置すると予測される、衛星局装置１０の位置に最適な送信パラメータが、当該上りリンク信号の送信のための送信パラメータとして決定される。これにより、地球端末装置４０は、衛星局装置１０が上りリンク信号を受信する時刻の衛星局装置１０の位置に最適な送信パラメータを用いて、当該上りリンク信号を送信することができる。よって、無線リンク品質を向上させることが可能となる。
【０１７４】
送信パラメータの適応制御は、さらに、チャネル測定結果に基づいて行われてもよい。詳しくは、衛星局装置１０は、まず、地球端末装置４０から衛星局装置１０へ送信される測定用信号に基づいて、チャネル品質を測定する。その後、衛星局装置１０は、地球端末装置４０が送信する上りリンク信号が衛星局装置１０により受信されると予測される時刻における、衛星局装置１０が存在すると予測される位置におけるチャネル品質を、予め測定しておいたチャネル品質の測定結果に基づいて予測する。そして、予測したチャネル品質に基づいて、送信パラメータの適応制御を行う。チャネル品質の予測結果に基づいて送信パラメータが制御されるので、無線リンク品質をより向上させることが可能である。
【０１７５】
送信パラメータの適応制御は、さらに、地球端末装置４０の位置情報に基づいて行われてもよい。詳しくは、送信パラメータの適応制御は、地球端末装置４０が送信する上りリンク信号が衛星局装置１０により受信されると予測される時刻における、衛星局装置１０の位置と地球端末装置４０の位置との相対関係に基づいて行われる。即ち、衛星局装置１０が上りリンク信号を受信する時刻における、衛星局装置１０と地球端末装置４０との相対的な位置関係に最適な送信パラメータが決定される。これにより、地球端末装置４０は、衛星局装置１０が上りリンク信号を受信する時刻における衛星局装置１０と地球端末装置４０との相対的な位置関係に最適な送信パラメータを用いて、上りリンク信号を送信することができる。よって、無線リンク品質をさらに向上させることが可能となる。
【０１７６】
一例として、低軌道衛星局装置の軌道情報を、下記の表１に示す。
【０１７７】
【表１】
2019097855.tif 000003
【０１７８】
表１では、軌道の数、衛星局装置の数、高度、及び角度が示されている。表１における軌道の数は、同一の高度及び角度の軌道の数を示す。表１における衛星局装置の数は、同一の高度及び角度で公転する衛星局装置１０の数を示す。表１における高度は、軌道の高度である。ただし、楕円軌道の場合には、軌道情報は、高度の変化を示す情報を含む。ここで、衛星局装置１０は、高度に応じた速度で軌道上を公転する。即ち、軌道情報に含まれる高度は、衛星局装置１０の移動速度を示す情報であると言える。もちろん、軌道情報は、高度の他に、衛星局装置１０の移動速度そのものを別途含んでいてもよい。表１における角度は、緯度又は経度に対する軌道の角度である。即ち、軌道情報に含まれる角度は、衛星局装置１０の移動方向を示す情報であると言える。
【０１７９】
制御対象の送信パラメータは多様に考えられる。制御対象の送信パラメータは、以下に一例として挙げる送信パラメータの少なくともいずれかを含む。
【０１８０】
例えば、制御対象の送信パラメータは、タイミングアドバンス値を含み得る。具体的には、衛星局装置１０が地球端末装置４０から遠ざかると予測される場合、タイミングアドバンス値は、遠ざかると予測される距離に応じて増加するよう更新される。一方で、衛星局装置１０が地球端末装置４０に近づくと予測される場合、タイミングアドバンス値は、近づくと予測される距離に応じて減少するよう更新される。これにより、地球端末装置４０は、上りリンク同期を達成することが可能となる。
【０１８１】
例えば、制御対象の送信パラメータは、ビームトラッキングに関するパラメータを含み得る。具体的には、地球端末装置４０が用いるビームの方向が、予測される地球端末装置４０の位置に応じて更新される。これにより、地球端末装置４０は、上りリンク信号が衛星局装置１０により受信されるタイミングに衛星局装置１０を捉える送信ビームを用いて、上りリンク信号を送信することが可能となる。
【０１８２】
例えば、制御対象の送信パラメータは、送信電力を含み得る。具体的には、衛星局装置１０が地球端末装置４０から遠ざかると予測される場合、送信電力は、遠ざかると予測される距離に応じて増加するよう更新される。一方で、衛星局装置１０が地球端末装置４０に近づくと予測される場合、送信電力は、近づくと予測される距離に応じて減少するよう更新される。これにより、地球端末装置４０は、衛星局装置１０における所定の受信電力を達成するために過不足ない送信電力を用いて、上りリンク信号を送信することが可能となる。
【０１８３】
例えば、制御対象の送信パラメータは、変調方式及び符号化率を含み得る。具体的には、衛星局装置１０が地球端末装置４０から遠ざかると予測される場合、ＭＣＳ（Modulation  and  Coding  Scheme）は、遠ざかると予測される距離に応じて低下するよう更新される。即ち、変調多値数が低下する、及び／又は符号化率が低下するように更新される。一方で、衛星局装置１０が地球端末装置４０に近づくと予測される場合、ＭＣＳは、近づくと予測される距離に応じて上昇するよう更新される。即ち、変調多値数が上昇する、及び／又は符号化率が上昇するように更新される。これにより、伝送路における誤り率が悪くなると予測される場合にはＭＣＳを低下させることで信頼性が高められ、伝送路における誤り率が良くなると予測される場合にはＭＣＳを上昇させることで伝送効率が高められる、といった適応制御が可能となる。
【０１８４】
例えば、制御対象の送信パラメータは、レイヤ数を含み得る。レイヤ数とは、例えば、ＭＩＭＯ（Multiple-Input  and  Multiple-Output）のレイヤ数である。具体的には、衛星局装置１０が地球端末装置４０から遠ざかると予測される場合、レイヤ数は、遠ざかると予測される距離に応じて減少するよう更新される。一方で、衛星局装置１０が地球端末装置４０に近づくと予測される場合、レイヤ数は、近づくと予測される距離に応じて増加するよう更新される。これにより、衛星局装置１０における上りリンク信号の受信品質を担保することが可能となる。
【０１８５】
例えば、制御対象の送信パラメータは、上りリンク信号の繰り返し送信回数を含み得る。具体的には、衛星局装置１０が地球端末装置４０から遠ざかると予測される場合、繰り返し送信回数は、遠ざかると予測される距離に応じて増加するよう更新される。一方で、衛星局装置１０が地球端末装置４０に近づくと予測される場合、繰り返し送信回数は、近づくと予測される距離に応じて減少するよう更新される。このように、伝送路における誤り率が悪くなると予測される場合には繰り返し送信回数が増加され、伝送路における誤り率が良くなると予測される場合には繰り返し送信回数が減少される。よって、地球端末装置４０は、衛星局装置１０における所定の受信特性を達成するために過不足ない回数、繰り返し送信することが可能となる。
【０１８６】
例えば、制御対象の送信パラメータは、上りリンク信号の送信に用いられるリソースブロックを含み得る。具体的には、衛星局装置１０が地球端末装置４０から遠ざかると予測される場合、リソースブロックは、遠ざかると予測される距離に応じて増加するよう更新される。一方で、衛星局装置１０が地球端末装置４０に近づくと予測される場合、リソースブロックは、近づくと予測される距離に応じて減少するよう更新される。このように、伝送路における誤り率が悪くなると予測される場合には幅広い周波数帯域幅で上りリンク信号が送信され、伝送路における誤り率が良くなると予測される場合には狭い周波数帯域幅で上りリンク信号が送信される。よって、地球端末装置４０は、衛星局装置１０における所定の受信特性を達成するために過不足ない帯域幅の周波数リソースを用いて、上りリンク信号を送信することが可能となる。
【０１８７】
＜４．２．プロシージャ＞
以下では、上記説明した送信パラメータの適応制御のためのプロシージャについて説明する。
【０１８８】
衛星局装置１０は、衛星局装置１０に関する情報に基づいて、地球端末装置４０から衛星局装置１０への信号の送信に用いられる送信パラメータに関する設定情報を地球端末装置４０に送信する。一方で、地球端末装置４０は、衛星局装置１０により送信された設定情報を取得し、取得した設定情報に応じた送信パラメータを用いて衛星局装置１０への信号の送信を行う。上述したように、送信パラメータは、地球端末装置４０が送信する上りリンク信号が衛星局装置１０により受信されると予測される時刻における、衛星局装置１０の位置を予測して決定される。衛星局装置１０と地球端末装置４０との間で送受信される設定情報は、衛星局装置１０の位置の予測に基づく送信パラメータを、地球端末装置４０に使用させるための情報である。このような設定情報が送受信されることで、地球端末装置４０は、上りリンク信号の受信タイミングにおける衛星局装置１０の位置に最適な送信パラメータを用いて、当該上りリンク信号を送信することができる。よって、無線リンク品質を向上させることが可能となる。
【０１８９】
送信パラメータの制御主体（即ち、決定主体）は衛星局装置１０であってもよいし、地球端末装置４０であってもよい。送信パラメータの制御主体がいずれかによって、衛星局装置１０と地球端末装置４０との間で送受信される設定情報は異なり得る。以下、送信パラメータの制御主体及び設定情報の内容のバリエーションを説明するために、送信パラメータの適応制御を実現するためのプロシージャの一例を説明する。
【０１９０】
（１）第１のプロシージャ
第１のプロシージャでは、送信パラメータの決定主体は衛星局装置１０である。以下、第１のプロシージャについて詳しく説明する。
【０１９１】
第１のプロシージャでは、衛星局装置１０は、地球端末装置４０による上りリンク送信に用いられる送信パラメータを決定する。即ち、設定情報は、送信パラメータを含む。衛星局装置１０は、送信パラメータを含む設定情報を生成して、地球端末装置４０へ送信する。地球端末装置４０は、受信した設定情報に含まれる送信パラメータを用いて、衛星局装置１０への上りリンク送信を行う。
【０１９２】
送信パラメータの決定方法は、上述した通りである。即ち、衛星局装置１０は、衛星局装置１０の位置情報及び軌道情報に基づいて衛星局装置１０の位置を予測し、予測結果に基づいて、送信パラメータを決定する。さらに、衛星局装置１０は、チャネル測定結果に基づいて、送信パラメータを決定してもよい。また、衛星局装置１０は、地球端末装置４０の位置情報に基づいて、送信パラメータを決定してもよい。衛星局装置１０は、決定した送信パラメータを含む設定情報を生成する。
【０１９３】
制御対象の送信パラメータについても、上述した通りである。
【０１９４】
設定情報は、地球端末装置４０ごとに送信される。詳しくは、設定情報は、地球端末装置４０による上りリンク送信の都度、生成され及び地球端末装置４０へ送信される。地球端末装置４０への設定情報の送信には、例えば上りリンクグラントが用いられる。
【０１９５】
第１のプロシージャでは、地球端末装置４０は送信パラメータを決定しないので、地球端末装置４０の処理負荷が軽減される。
【０１９６】
以下、第１のプロシージャの詳しい処理の流れを、図１８を参照しながら説明する。
【０１９７】
図１８は、本実施形態に係るシステム１において実行される送信パラメータ制御のための第１のプロシージャの流れの一例を示すシーケンス図である。図１８に示すように、本シーケンスには衛星局装置１０及び地球端末装置４０が関与する。
【０１９８】
まず、衛星局装置１０は、衛星局装置１０の位置情報及び軌道情報に基づいて、送信パラメータを決定する（ステップＳ５０２）。詳しくは、衛星局装置１０は、後述するステップＳ５０８において地球端末装置４０から送信される上りリンク信号の受信タイミングにおける衛星局装置１０の位置を予測して、ステップＳ５０８において用いられるべき送信パラメータを決定する。次いで、衛星局装置１０は、生成した送信パラメータを含む設定情報を地球端末装置４０に送信する（ステップＳ５０４）。次に、地球端末装置４０は、送信パラメータを含む設定情報を取得する（ステップＳ５０６）。次いで、地球端末装置４０は、取得した送信パラメータを用いて、上りリンク信号を衛星局装置１０へ送信する（ステップＳ５０８）。
【０１９９】
その後、衛星局装置１０は、再度、衛星局装置１０自身の位置情報及び軌道情報に基づいて、送信パラメータを決定する（ステップＳ５１０）。詳しくは、衛星局装置１０は、後述するステップＳ５１４において地球端末装置４０から送信される上りリンク信号の受信タイミングにおける衛星局装置１０の位置を予測して、ステップＳ５１４において用いられるべき送信パラメータを生成する。次いで、衛星局装置１０は、生成した送信パラメータを含む設定情報を地球端末装置４０に送信する（ステップＳ５１２）。次に、地球端末装置４０は、送信パラメータを含む設定情報を取得する（ステップＳ５１４）。次いで、地球端末装置４０は、取得した送信パラメータを用いて、上りリンク信号を衛星局装置１０へ送信する（ステップＳ５１６）。
【０２００】
（２）第２のプロシージャ
第２のプロシージャでは、送信パラメータの決定主体は衛星局装置１０であるが、実際に上りリンク送信に用いられる送信パラメータは、地球端末装置４０により選択される。以下、第２のプロシージャについて詳しく説明する。
【０２０１】
第２のプロシージャでは、衛星局装置１０は、地球端末装置４０による上りリンク送信に用いられる送信パラメータの更新ルールを生成する。即ち、設定情報は、送信パラメータの更新ルールを含む。衛星局装置１０は、送信パラメータの更新ルールを含む設定情報を生成して、地球端末装置４０へ送信する。地球端末装置４０は、受信した設定情報に含まれる送信パラメータの更新ルールに基づいて送信パラメータを更新し、更新した送信パラメータを用いて衛星局装置１０への上りリンク送信を行う。
【０２０２】
・送信パラメータの更新ルールの第１の例
一例として、送信パラメータの更新ルールは、送信時間を示す情報と当該送信時間において使用すべき送信パラメータとの対応付けを複数含む。ここで、送信時間を示す情報は、送信対象のサブフレームを示す情報、又は送信対象の無線フレームを示す情報（即ち、ＳＦＮ（System  Frame  Number））等である。
【０２０３】
地球端末装置４０は、上りリンク送信を行う際に、送信パラメータの更新ルールにおいて、送信対象の上りリンク信号の送信時間に対応付けられた送信パラメータを、使用する送信パラメータとして選択する。そして、地球端末装置４０は、選択した送信パラメータを用いて、当該送信対象の上りリンク信号を送信する。つまり、地球端末装置４０は、送信時間ごとに送信パラメータの更新ルールを参照して、送信パラメータを更新しながら上りリンク送信を行う。
【０２０４】
送信パラメータの更新ルールに含まれる送信パラメータの決定方法は、上述した通りである。即ち、衛星局装置１０は、衛星局装置１０の位置情報及び軌道情報に基づいて衛星局装置１０の位置を予測し、予測結果に基づいて、送信パラメータを決定する。とりわけ、衛星局装置１０は、衛星局装置１０の位置の予測に基づく送信パラメータの決定を、地球端末装置４０による上りリンク送信が行われ得る複数の送信時間の各々について行う。さらに、衛星局装置１０は、チャネル測定結果に基づいて、送信パラメータを決定してもよい。また、衛星局装置１０は、地球端末装置４０の位置情報に基づいて、送信パラメータを決定してもよい。衛星局装置１０は、送信時間を示す情報と当該送信時間について決定した送信パラメータとの対応付けを複数含む、設定情報を生成する。
【０２０５】
制御対象の送信パラメータについても、上述した通りである。
【０２０６】
設定情報は、地球端末装置４０ごとに送信される。地球端末装置４０ごとに位置が異なる、即ち衛星局装置１０との相対位置が異なる場合、使用すべきパラメータが異なるためである。地球端末装置４０への設定情報の送信には、例えばＲＲＣシグナリング、ＲＡＲ応答グラント、又はＰＤＣＣＨ等の下りリンク制御信号が用いられる。
【０２０７】
本例では、第１のプロシージャと比較して、設定情報の送受信の回数が削減されるので、通信負荷を軽減することができる。
【０２０８】
・送信パラメータの更新ルールの第２の例
他の例として、送信パラメータの更新ルールは、送信時間を示す情報及び送信位置を示す情報と当該送信時間及び当該送信位置において使用すべき送信パラメータとの対応付けを複数含む。ここで、送信位置を示す情報は、緯度及び経度、又はグリッド化された複数の領域のうちいずれの領域かを示す情報等である。
【０２０９】
地球端末装置４０は、上りリンク送信を行う際に送信パラメータの更新ルールにおいて、送信対象の上りリンク信号の送信時間及び地球端末装置４０の現在位置に対応付けられた送信パラメータを、使用する送信パラメータとして選択する。そして、地球端末装置４０は、選択した送信パラメータを用いて、当該送信対象の上りリンク信号を送信する。つまり、地球端末装置４０は、送信時間及び送信場所ごとに送信パラメータの更新ルールを参照して、送信パラメータを更新しながら上りリンク送信を行う。
【０２１０】
送信パラメータの更新ルールに含まれる送信パラメータの決定方法は、上述した通りである。詳しくは、衛星局装置１０は、衛星局装置１０の位置の予測に基づく送信パラメータの決定を、地球端末装置４０が位置し得る複数の位置及び地球端末装置４０による上りリンク送信が行われ得る複数の送信時間の各々について行う。さらに、衛星局装置１０は、チャネル測定結果に基づいて、送信パラメータを決定してもよい。また、衛星局装置１０は、地球端末装置４０の位置情報に基づいて、送信パラメータを決定してもよい。衛星局装置１０は、送信時間を示す情報及び送信位置を示す情報と当該送信時間及び当該送信位置について決定した送信パラメータとの対応付けを複数含む、設定情報を生成する。
【０２１１】
制御対象の送信パラメータについても、上述した通りである。
【０２１２】
設定情報は、複数の地球端末装置４０に報知される。位置ごとの送信時間と送信パラメータとの対応付けが設定情報に含まれるので、位置が異なる複数の地球端末装置４０が、同一の設定情報を共通的に参照できるためである。地球端末装置４０への設定情報の送信には、例えばＲＲＣシグナリング又はＰＤＣＣＨ等の下りリンク制御信号が用いられる。
【０２１３】
本例では、第１のプロシージャと比較して、設定情報の送受信の回数が削減されるので、通信負荷が軽減される。また、本例では、上記第１の例と比較して、複数の地球端末装置４０が同一の設定情報を共通して用いることができるので、衛星局装置１０は地球端末装置４０に個別に設定情報を送信しなくて済む。従って、本例では、上記第１の例と比較して、衛星局装置１０の通信負荷を軽減することができる。
【０２１４】
・補足
地球端末装置４０は、受信した設定情報を、近隣の他の地球端末装置４０と共有してもよい。近隣の地球端末装置４０と衛星局装置１０との相対位置は、設定情報を受信した地球端末装置４０と衛星局装置１０との相対位置とほぼ同一であり、使用すべき送信パラメータは同一であると考えられるためである。
【０２１５】
・処理の流れ
以下、第２のプロシージャの詳しい処理の流れを、図１９を参照しながら説明する。
【０２１６】
図１９は、本実施形態に係るシステム１において実行される送信パラメータ制御のための第２のプロシージャの流れの一例を示すシーケンス図である。図１９に示すように、本シーケンスには衛星局装置１０及び地球端末装置４０が関与する。
【０２１７】
まず、衛星局装置１０は、衛星局装置１０の位置情報及び軌道情報に基づいて、送信パラメータの更新ルールを生成する（ステップＳ６０２）。衛星局装置１０は、上述した第１の例又は第２の例に係る送信パラメータの更新ルールを生成する。次いで、衛星局装置１０は、生成した送信パラメータの更新ルールを含む設定情報を地球端末装置４０に送信する（ステップＳ６０４）。次に、地球端末装置４０は、送信パラメータの更新ルールを含む設定情報を取得する（ステップＳ６０６）。
【０２１８】
そして、地球端末装置４０は、送信パラメータの更新ルールに基づいて送信パラメータを更新する（ステップＳ６０８）。詳しくは、送信パラメータの更新ルールの第１の例に関しては、地球端末装置４０は、送信対象の上りリンク信号の送信時間に対応付けられた送信パラメータを、使用する送信パラメータとして選択する。また、送信パラメータの更新ルールの第２の例に関しては、地球端末装置４０は、送信対象の上りリンク信号の送信時間及び地球端末装置４０の現在位置に対応付けられた送信パラメータを、使用する送信パラメータとして選択する。次いで、地球端末装置４０は、更新された送信パラメータを用いて、上りリンク信号を衛星局装置１０へ送信する（ステップＳ６１０）。
【０２１９】
その後も、地球端末装置４０は、上記ステップＳ６０６において取得した、送信パラメータの更新ルールを引き続き用いて、送信パラメータを更新しながら上りリンク送信を行う。即ち、地球端末装置４０は、送信パラメータの更新ルールに基づいて送信パラメータを更新し（ステップＳ６１２）、更新された送信パラメータを用いて上りリンク信号を衛星局装置１０へ送信する（ステップＳ６１４）。次いで、地球端末装置４０は、送信パラメータの更新ルールに基づいて送信パラメータを更新し（ステップＳ６１６）、更新された送信パラメータを用いて上りリンク信号を衛星局装置１０へ送信する（ステップＳ６１８）。
【０２２０】
（３）第３のプロシージャ
第３のプロシージャでは、送信パラメータの決定主体は地球端末装置４０である。以下、第３のプロシージャについて詳しく説明する。
【０２２１】
第３のプロシージャでは、衛星局装置１０は、衛星局装置１０の位置情報及び軌道情報を地球端末装置４０に送信する。即ち、設定情報は、衛星局装置１０の位置情報及び軌道情報を含む。地球端末装置４０は、受信した衛星局装置１０の位置情報及び軌道情報に基づいて送信パラメータを決定し、決定した送信パラメータを用いて衛星局装置１０への上りリンク送信を行う。
【０２２２】
送信パラメータの決定方法は、上述した通りである。即ち、地球端末装置４０は、衛星局装置１０の位置情報及び軌道情報に基づいて衛星局装置１０の位置を予測し、予測結果に基づいて送信パラメータを決定する。ここで、軌道情報は不変であるし、地球端末装置４０は、衛星局装置１０の位置情報を、予測に基づいて更新可能である。従って、地球端末装置４０は、衛星局装置１０の位置情報及び軌道情報を一度取得した後は、追加的な情報を取得せずとも、衛星局装置１０の位置を予測しながら送信パラメータを更新することができる。さらに、地球端末装置４０は、チャネル測定結果に基づいて、送信パラメータを決定してもよい。また、地球端末装置４０は、地球端末装置４０の位置情報に基づいて、送信パラメータを決定してもよい。
【０２２３】
制御対象の送信パラメータについても、上述した通りである。
【０２２４】
地球端末装置４０は、決定した送信パラメータを示す情報を衛星局装置１０に報告してもよい。これにより、衛星局装置１０は、地球端末装置４０が使用する送信パラメータを知ることが可能となり、その結果、上りリンク信号を適切に受信することが可能となる。決定した送信パラメータを示す情報は、ＰＵＳＣＨ又はＰＵＣＣＨを用いて報告される。前記決定した送信パラメータを示す情報を含む物理上りリンクチャネルの送信パラメータは、衛星局装置１０の移動に対して不変であることが望ましい。制御対象の送信パラメータの一例として上記挙げたもののうち、送信電力、変調方式及び符号化率、レイヤ数、繰り返し送信回数、並びにリソースブロックに関しては報告されることが望ましい。衛星局装置１０における適切な上りリンク信号の受信を実現するためである。一方で、制御対象の送信パラメータの一例として上記挙げたもののうち、タイミングアドバンス値及びビームトラッキングに関するパラメータに関しては、報告されなくてもよい。報告されずとも、衛星局装置１０は、上りリンク信号の受信を適切に行うことが可能なためである。
【０２２５】
設定情報は、地球端末装置４０ごとに送信されてもよい。その場合、衛星局装置１０は、設定情報を一度地球端末装置４０に送信する。例えば、衛星局装置１０は、初期アクセスを確立した地球端末装置４０を対象に、個別に設定情報を送信する。地球端末装置４０への設定情報の送信には、例えばＲＲＣシグナリング又はＰＤＣＣＨ等の下りリンク制御信号が用いられる。
【０２２６】
設定情報は、複数の地球端末装置４０に報知されてもよい。その場合、衛星局装置１０は、設定情報を定期的にセル内の複数の地球端末装置４０に向けて報知する。例えば、衛星局装置１０は、初期アクセス前の地球端末装置４０を対象に、設定情報を報知する。複数の地球端末装置４０への設定情報の報知には、ＭＩＢ又はＰＢＣＨ等の報知される下りリンク制御信号が用いられる。
【０２２７】
第３のプロシージャでは、地球端末装置４０は、衛星局装置１０の位置情報及び軌道情報を一度取得した後は、追加的な情報を取得せずとも、衛星局装置１０の位置を予測しながら送信パラメータを更新することができる。よって、第３のプロシージャでは、第１のプロシージャと比較して設定情報の送受信の回数が削減されるので、通信負荷を軽減することができる。また、第３のプロシージャでは、送信パラメータの決定主体が地球端末装置４０であるから、第１のプロシージャ及び第２のプロシージャと比較して衛星局装置１０の処理負荷を軽減することができる。
【０２２８】
以下、第３のプロシージャの詳しい処理の流れを、図２０を参照しながら説明する。
【０２２９】
図２０は、本実施形態に係るシステム１において実行される送信パラメータ制御のための第３のプロシージャの流れの一例を示すシーケンス図である。図２０に示すように、本シーケンスには衛星局装置１０及び地球端末装置４０が関与する。
【０２３０】
まず、衛星局装置１０は、衛星局装置１０の位置情報及び軌道情報を含む設定情報を生成し、地球端末装置４０に送信する（ステップＳ７０２）。次いで、地球端末装置４０は、衛星局装置１０の位置情報及び軌道情報を含む設定情報を取得する（ステップＳ７０４）。
【０２３１】
次に、地球端末装置４０は、設定情報に含まれる衛星局装置１０の位置情報及び軌道情報に基づいて、送信パラメータを決定する（ステップＳ７０６）。詳しくは、地球端末装置４０は、後述するステップＳ７０８において地球端末装置４０から送信される上りリンク信号の受信タイミングにおける衛星局装置１０の位置を予測して、ステップＳ７０８おいて用いられるべき送信パラメータを決定する。そして、地球端末装置４０は、決定した送信パラメータを用いて、上りリンク信号を衛星局装置１０へ送信する（ステップＳ７０８）。
【０２３２】
その後も、地球端末装置４０は、上記ステップＳ７０４において取得した設定情報を引き続き用いて、送信パラメータを更新しながら上りリンク送信を行う。即ち、地球端末装置４０は、設定情報に含まれる衛星局装置１０の位置情報及び軌道情報に基づいて送信パラメータを更新し（ステップＳ７１０）、更新された送信パラメータを用いて上りリンク信号を衛星局装置１０へ送信する（ステップＳ７１２）。
【０２３３】
＜＜５．変形例＞＞
上記では、基地局装置１００が衛星局装置１０として構成され、端末装置２００が非地上波ネットワークに対応する地球端末装置４０として構成されるものとして説明したが、本技術はかかる例に限定されない。例えば、基地局装置１００は、地球端末装置４０として構成されてもよい。その場合、地球端末装置４０は、他の地球端末装置（例えば、ＵＥ）に対して無線通信サービスを提供し、衛星局装置１０との間でバックホールトラフィックを送受信する。
【０２３４】
基地局装置１００として構成される地球端末装置４０から衛星局装置１０へ送信されるバックホールトラフィックのための送信パラメータの適応制御は、上述した上りリンク信号のための送信パラメータの適応制御と同様にして行われる。具体的には、送信パラメータの適応制御は、衛星局装置１０の位置の予測に基づいて行われる。詳しくは、送信パラメータの適応制御は、地球端末装置４０から衛星局装置１０へ送信されるバックホールトラフィックが衛星局装置１０により受信されると予測される時刻における、衛星局装置１０の位置の予測に基づいて行われる。衛星局装置１０と地球端末装置４０との間で送受信される設定情報も、上述した上りリンク信号のための送信パラメータの適応制御のために送受信される設定情報と同様である。
【０２３５】
なお、衛星局装置１０から地球端末装置４０へ送信される下りリンク信号のための受信パラメータの適応制御は、上述した上りリンク信号のための送信パラメータの適応制御の一部と同様にして行われてもよい。具体的には、受信パラメータの適応制御は、衛星局装置１０の位置の予測に基づいて行われる。詳しくは、受信パラメータの適応制御は、衛星局装置１０から地球端末装置４０へ送信される下りリンク信号を衛星局装置１０が送信したと予測される時刻における、衛星局装置１０の位置の予測に基づいて行われる。衛星局装置１０と地球端末装置４０との間で送受信される設定情報も、上述した上りリンク信号のための送信パラメータの適応制御のために送受信される設定情報と同様である。上述した適応制御が下りリンク信号の受信にも適用可能な受信パラメータは、受信ビームトラッキング、ＭＣＳ、レイヤ数、下りリンク信号の繰り返し送信回数、リソースブロック、などが挙げられる。
【０２３６】
＜＜６．応用例＞＞
本開示に係る技術は、様々な製品へ応用可能である。
【０２３７】
例えば、地球端末装置４０は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、地球端末装置４０は、ＮｏｄｅＢ又はＢＴＳ（Base  Transceiver  Station）などの他の種類の基地局として実現されてもよい。地球端末装置４０は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、地球端末装置４０として動作してもよい。
【０２３８】
例えば、地球端末装置４０は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、地球端末装置４０は、Ｍ２Ｍ（Machine  To  Machine）通信を行う端末（ＭＴＣ（Machine  Type  Communication）端末ともいう）として実現されてもよい。さらに、地球端末装置４０は、これら端末に搭載される無線通信モジュール（例えば、１つのダイで構成される集積回路モジュール）であってもよい。
【０２３９】
＜６．１．基地局に関する応用例＞
（第１の応用例）
図２１は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２４０】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２１に示したように複数のアンテナ８１０を有し、複数のアンテナ８１０は、例えばｅＮＢ８００が使用する複数の周波数帯域にそれぞれ対応してもよい。なお、図２１にはｅＮＢ８００が複数のアンテナ８１０を有する例を示したが、ｅＮＢ８００は単一のアンテナ８１０を有してもよい。
【０２４１】
基地局装置８２０は、コントローラ８２１、メモリ８２２、ネットワークインタフェース８２３及び無線通信インタフェース８２５を備える。
【０２４２】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２４３】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２４４】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２４５】
無線通信インタフェース８２５は、図２１に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２１に示したように複数のＲＦ回路８２７を含み、複数のＲＦ回路８２７は、例えば複数のアンテナ素子にそれぞれ対応してもよい。なお、図２１には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２４６】
図２１に示したｅＮＢ８００において、図１７を参照して説明した取得部４１、設定部４２及び／又はメッセージ送受信部４３は、無線通信インタフェース８２５（例えば、ＢＢプロセッサ８２６及び／又はＲＦ回路８２７）、コントローラ８２１及び／又はネットワークインタフェース８２３において実装されてもよい。例えば、無線通信インタフェース８２５、コントローラ８２１及び／又はネットワークインタフェース８２３は、衛星局装置１０から設定情報を取得して、設定情報に応じた送信パラメータを用いて衛星局装置１０へのチャネル／信号の送信を行う。例えば、無線通信インタフェース８２５に含まれるプロセッサにおいて、これらの動作を行うための機能が実装されてもよい。このような動作を行う装置として、ｅＮＢ８００、基地局装置８２０又は上記モジュールが提供されてもよく、プロセッサに上記動作を行わせるためのプログラムが提供されてもよい。また、上記プログラムを記録した読み取り可能な記録媒体が提供されてもよい。
【０２４７】
（第２の応用例）
図２２は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２４８】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２２に示したように複数のアンテナ８４０を有し、複数のアンテナ８４０は、例えばｅＮＢ８３０が使用する複数の周波数帯域にそれぞれ対応してもよい。なお、図２２にはｅＮＢ８３０が複数のアンテナ８４０を有する例を示したが、ｅＮＢ８３０は単一のアンテナ８４０を有してもよい。
【０２４９】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２１を参照して説明したコントローラ８２１、メモリ８２２及びネットワークインタフェース８２３と同様のものである。
【０２５０】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２１を参照して説明したＢＢプロセッサ８２６と同様のものである。無線通信インタフェース８５５は、図２２に示したように複数のＢＢプロセッサ８５６を含み、複数のＢＢプロセッサ８５６は、例えばｅＮＢ８３０が使用する複数の周波数帯域にそれぞれ対応してもよい。なお、図２２には無線通信インタフェース８５５が複数のＢＢプロセッサ８５６を含む例を示したが、無線通信インタフェース８５５は単一のＢＢプロセッサ８５６を含んでもよい。
【０２５１】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２５２】
また、ＲＲＨ８６０は、接続インタフェース８６１及び無線通信インタフェース８６３を備える。
【０２５３】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２５４】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２２に示したように複数のＲＦ回路８６４を含み、複数のＲＦ回路８６４は、例えば複数のアンテナ素子にそれぞれ対応してもよい。なお、図２２には無線通信インタフェース８６３が複数のＲＦ回路８６４を含む例を示したが、無線通信インタフェース８６３は単一のＲＦ回路８６４を含んでもよい。
【０２５５】
図２２に示したｅＮＢ８３０において、図１７を参照して説明した取得部４１、設定部４２及び／又はメッセージ送受信部４３は、無線通信インタフェース８５５、無線通信インタフェース８６３（例えば、ＢＢプロセッサ８５６及び／又はＲＦ回路８６４）、コントローラ８５１及び／又はネットワークインタフェース８５３において実装されてもよい。例えば、無線通信インタフェース８５５、無線通信インタフェース８６３、コントローラ８５１及び／又はネットワークインタフェース８５３は、衛星局装置１０から設定情報を取得して、設定情報に応じた送信パラメータを用いて衛星局装置１０へのチャネル／信号の送信を行う。例えば、無線通信インタフェース８５５及び／又は無線通信インタフェース８６３に含まれるプロセッサにおいて、これらの動作を行うための機能が実装されてもよい。このような動作を行う装置として、ｅＮＢ８３０、基地局装置８５０又は上記モジュールが提供されてもよく、プロセッサに上記動作を行わせるためのプログラムが提供されてもよい。また、上記プログラムを記録した読み取り可能な記録媒体が提供されてもよい。
【０２５６】
＜６．２．端末装置に関する応用例＞
（第１の応用例）
図２３は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２５７】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２５８】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２５９】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２３に示したように複数のＢＢプロセッサ９１３及び複数のＲＦ回路９１４を含んでもよい。なお、図２３には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２６０】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２６１】
アンテナスイッチ９１５の各々は、無線通信インタフェース９１２に含まれる複数の回路（例えば、異なる無線通信方式のための回路）の間でアンテナ９１６の接続先を切り替える。
【０２６２】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２３に示したように複数のアンテナ９１６を有してもよい。なお、図２３にはスマートフォン９００が複数のアンテナ９１６を有する例を示したが、スマートフォン９００は単一のアンテナ９１６を有してもよい。
【０２６３】
さらに、スマートフォン９００は、無線通信方式ごとにアンテナ９１６を備えてもよい。その場合に、アンテナスイッチ９１５は、スマートフォン９００の構成から省略されてもよい。
【０２６４】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２３に示したスマートフォン９００の各ブロックへ電力を供給する。補助コントローラ９１９は、例えば、スリープモードにおいて、スマートフォン９００の必要最低限の機能を動作させる。
【０２６５】
図２３に示したスマートフォン９００において、図１７を参照して説明した取得部４１、設定部４２及び／又はメッセージ送受信部４３は、無線通信インタフェース９１２（例えば、ＲＦ回路９１４及び／又はＢＢプロセッサ９１３）、プロセッサ９０１、及び／又は補助コントローラ９１９において実装されてもよい。例えば、無線通信インタフェース９１２、プロセッサ９０１、及び／又は補助コントローラ９１９は、衛星局装置１０から設定情報を取得して、設定情報に応じた送信パラメータを用いて衛星局装置１０へのチャネル／信号の送信を行う。例えば、無線通信インタフェース９１２に含まれるプロセッサにおいて、これらの動作を行うための機能が実装されてもよい。このような動作を行う装置として、スマートフォン９００又は上記モジュールが提供されてもよく、プロセッサに上記動作を行わせるためのプログラムが提供されてもよい。また、上記プログラムを記録した読み取り可能な記録媒体が提供されてもよい。
【０２６６】
（第２の応用例）
図２４は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２６７】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２６８】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２６９】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２７０】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２４に示したように複数のＢＢプロセッサ９３４及び複数のＲＦ回路９３５を含んでもよい。なお、図２４には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２７１】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２７２】
アンテナスイッチ９３６の各々は、無線通信インタフェース９３３に含まれる複数の回路（例えば、異なる無線通信方式のための回路）の間でアンテナ９３７の接続先を切り替える。
【０２７３】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２４に示したように複数のアンテナ９３７を有してもよい。なお、図２４にはカーナビゲーション装置９２０が複数のアンテナ９３７を有する例を示したが、カーナビゲーション装置９２０は単一のアンテナ９３７を有してもよい。
【０２７４】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２７５】
バッテリー９３８は、図中に破線で部分的に示した給電ラインを介して、図２４に示したカーナビゲーション装置９２０の各ブロックへ電力を供給する。また、バッテリー９３８は、車両側から給電される電力を蓄積する。
【０２７６】
図２４に示したカーナビゲーション装置９２０において、図１７を参照して説明した取得部４１、設定部４２及び／又はメッセージ送受信部４３は、無線通信インタフェース９３３（例えば、ＲＦ回路９３５及び／又はＢＢプロセッサ９３４）及び／又はプロセッサ９２１において実装されてもよい。例えば、無線通信インタフェース９３３及び／又はプロセッサ９２１は、衛星局装置１０から設定情報を取得して、設定情報に応じた送信パラメータを用いて衛星局装置１０へのチャネル／信号の送信を行う。例えば、無線通信インタフェース９３３に含まれるプロセッサにおいて、これらの動作を行うための機能が実装されてもよい。このような動作を行う装置として、カーナビゲーション装置９２０又は上記モジュールが提供されてもよく、プロセッサに上記動作を行わせるためのプログラムが提供されてもよい。また、上記プログラムを記録した読み取り可能な記録媒体が提供されてもよい。
【０２７７】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０２７８】
＜＜７．まとめ＞＞
以上、図１〜図２４を参照して、本開示の一実施形態について詳しく説明した。上記説明したように、本実施形態に係る衛星局装置１０は、衛星局装置１０に関する情報に基づいて、地球端末装置４０から衛星局装置１０への信号の送信に用いられる送信パラメータに関する設定情報を地球端末装置４０に送信する。一方で、地球端末装置４０は、衛星局装置１０により送信された設定情報を取得し、取得した設定情報に応じた送信パラメータを用いて衛星局装置１０への信号の送信を行う。地球端末装置４０は、衛星局装置１０から取得した設定情報に基づいて、衛星局装置１０への信号の送信に適した送信パラメータを用いることが可能となるので、無線リンク品質を向上させることが可能となる。
【０２７９】
さらに、送信パラメータは、衛星局装置１０の位置の予測に基づいて決定される。より詳しくは、送信パラメータは、地球端末装置４０が送信する上りリンク信号が衛星局装置１０により受信されると予測される時刻における、衛星局装置１０の位置を予測して決定される。そのため、地球端末装置４０は、送信予定の信号を衛星局装置１０が受信すると予測される時刻において位置すると予測される、衛星局装置１０の位置に最適な送信パラメータを用いて、当該送信予定の信号を送信することができる。よって、地球端末装置４０から衛星局装置１０への送信に係る無線リンク品質を向上させることが可能となる。
【０２８０】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例又は修正例に想到し得ることは明らかであり、これらについても、当然に本開示の技術的範囲に属するものと了解される。
【０２８１】
例えば、上記実施形態では、衛星局装置１０が設定情報を生成すると説明したが、本技術はかかる例に限定されない。例えば、設定情報は、他の装置（例えば、コアネットワーク２１内の制御エンティティ又はＶＳＡＴ３０等）により生成されてもよい。さらには、送信パラメータの決定主体は、衛星局装置１０及び地球端末装置４０以外の装置であってもよい。
【０２８２】
また、本明細書においてフローチャート及びシーケンス図を用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【０２８３】
また、本明細書に記載された効果は、あくまで説明的又は例示的なものであって限定的ではない。つまり、本開示に係る技術は、上記の効果とともに、又は上記の効果に代えて、本明細書の記載から当業者には明らかな他の効果を奏しうる。
【０２８４】
なお、以下のような構成も本開示の技術的範囲に属する。
（１）
衛星局装置として構成された基地局装置であって、
前記基地局装置に関する情報に基づいて、端末装置から前記基地局装置への信号の送信に用いられる送信パラメータに関する設定情報を前記端末装置に送信する制御部、
を備える基地局装置。
（２）
前記送信パラメータは、前記基地局装置の位置の予測に基づいて決定される、前記（１）に記載の基地局装置。
（３）
前記送信パラメータは、前記信号が前記基地局装置により受信されると予測される時刻における前記基地局装置の位置の予測に基づき決定される、前記（２）に記載の基地局装置。
（４）
前記設定情報は、前記送信パラメータを含む、前記（１）〜（３）のいずれか一項に記載の基地局装置。
（５）
前記設定情報は、送信時間を示す情報と当該送信時間において使用すべき前記送信パラメータとの対応付けを複数含む、前記（４）に記載の基地局装置。
（６）
前記設定情報は、前記端末装置ごとに送信される、前記（５）に記載の基地局装置。
（７）
前記設定情報は、送信時間を示す情報及び送信位置を示す情報と当該送信時間及び当該送信位置において使用すべき前記送信パラメータとの対応付けを複数含む、前記（４）に記載の基地局装置。
（８）
前記設定情報は、複数の前記端末装置へ報知される、前記（７）に記載の基地局装置。
（９）
前記設定情報は、前記基地局装置の位置情報及び軌道情報を含む、前記（１）〜（３）のいずれか一項に記載の基地局装置。
（１０）
前記送信パラメータは、タイミングアドバンス値を含む、前記（１）〜（９）のいずれか一項に記載の基地局装置。
（１１）
前記送信パラメータは、ビームトラッキングに関するパラメータを含む、前記（１）〜（１０）のいずれか一項に記載の基地局装置。
（１２）
前記送信パラメータは、送信電力、ＭＣＳ（Modulation  and  Coding  Scheme）、レイヤ数、繰り返し送信回数、又はリソースブロックの少なくともいずれかを含む、前記（１）〜（１１）のいずれか一項に記載の基地局装置。
（１３）
前記設定情報は、前記基地局装置の位置情報及び軌道情報に基づいて生成される、前記（１）〜（１２）のいずれか一項に記載の基地局装置。
（１４）
前記設定情報は、前記端末装置から前記基地局装置へ送信される測定用信号に基づいて生成される、前記（１）〜（１３）のいずれか一項に記載の基地局装置。
（１５）
衛星局装置として構成された基地局装置に関する情報に基づく設定情報であって、端末装置から前記基地局装置への信号の送信に用いられる送信パラメータに関する前記設定情報を取得し、前記設定情報に応じた前記送信パラメータを用いて前記信号の送信を行う制御部と、
を備える端末装置。
（１６）
前記設定情報は、送信時間を示す情報と当該送信時間において使用すべき前記送信パラメータとの対応付けを複数含み、
前記制御部は、前記設定情報において、前記信号の送信時間に対応付けられた前記送信パラメータを用いて、前記信号を送信する、前記（１５）に記載の端末装置。
（１７）
前記設定情報は、送信時間を示す情報及び送信場所を示す情報と当該送信時間及び当該送信場所において使用すべき前記送信パラメータとの対応付けを複数含み、
前記制御部は、前記設定情報において、前記信号の送信時間及び送信場所に対応付けられた前記送信パラメータを用いて、前記信号を送信する、前記（１５）に記載の端末装置。
（１８）
前記設定情報は、前記基地局装置の位置情報及び軌道情報を含み、
前記制御部は、前記基地局装置の位置情報及び軌道情報に基づいて前記送信パラメータを決定する、前記（１５）に記載の端末装置。
（１９）
前記制御部は、前記端末装置の位置情報にさらに基づいて前記送信パラメータを決定する、前記（１５）〜（１８）のいずれか一項に記載の端末装置。
（２０）
衛星局装置として構成された基地局装置により実行される方法であって、
前記基地局装置に関する情報に基づいて、端末装置から前記基地局装置への信号の送信に用いられる送信パラメータに関する設定情報を前記端末装置に送信すること、
を含む方法。
（２１）
端末装置により実行される方法であって、
衛星局装置として構成された基地局装置に関する情報に基づく設定情報であって、前記端末装置から前記基地局装置への信号の送信に用いられる送信パラメータに関する前記設定情報を取得し、前記設定情報に応じた前記送信パラメータを用いて前記信号の送信を行うこと、
を含む方法。
（２２）
コンピュータを、
衛星局装置として構成された基地局装置に関する情報に基づいて、端末装置から前記基地局装置への信号の送信に用いられる送信パラメータに関する設定情報を前記端末装置に送信する制御部、
として機能させるためのプログラムが記録された記録媒体。
（２３）
コンピュータを、
衛星局装置として構成された基地局装置に関する情報に基づく設定情報であって、端末装置から前記基地局装置への信号の送信に用いられる送信パラメータに関する前記設定情報を取得し、前記設定情報に応じた前記送信パラメータを用いて前記信号の送信を行う制御部と、
として機能させるためのプログラムが記録された記録媒体。
【符号の説明】
【０２８５】
１０    衛星局装置
１１    取得部
１２    設定部
１３    メッセージ送受信部
２０    航空局装置
３０    地球局
３１    コアネットワーク
３２    インターネット
３３    地上波ネットワーク
４０    地球端末装置
４１    取得部
４２    設定部
４３    メッセージ送受信部
１００  基地局装置
１０１    上位層処理部
１０３    制御部
１０５    受信部
１０５１    復号化部
１０５３    復調部
１０５５    多重分離部
１０５７    無線受信部
１０５９    チャネル測定部
１０７    送信部
１０７１    符号化部
１０７３    変調部
１０７５    多重部
１０７７    無線送信部
１０７９    下りリンク参照信号生成部
１０９    送受信アンテナ
２００  端末装置
２０１    上位層処理部
２０３    制御部
２０５    受信部
２０５１    復号化部
２０５３    復調部
２０５５    多重分離部
２０５７    無線受信部
２０５９    チャネル測定部
２０７    送信部
２０７１    符号化部
２０７３    変調部
２０７５    多重部
２０７７    無線送信部
２０７９    上りリンク参照信号生成部
【図１】
2019097855.tif 000004
【図２】
2019097855.tif 000005
【図３】
2019097855.tif 000006
【図４】
2019097855.tif 000007
【図５】
2019097855.tif 000008
【図６】
2019097855.tif 000009
【図７】
2019097855.tif 000010
【図８】
2019097855.tif 000011
【図９】
2019097855.tif 000012
【図１０】
2019097855.tif 000013
【図１１】
2019097855.tif 000014
【図１２】
2019097855.tif 000015
【図１３】
2019097855.tif 000016
【図１４】
2019097855.tif 000017
【図１５】
2019097855.tif 000018
【図１６】
2019097855.tif 000019
【図１７】
2019097855.tif 000020
【図１８】
2019097855.tif 000021
【図１９】
2019097855.tif 000022
【図２０】
2019097855.tif 000023
【図２１】
2019097855.tif 000024
【図２２】
2019097855.tif 000025
【図２３】
2019097855.tif 000026
【図２４】
2019097855.tif 000027
【国際調査報告】
2019097855.tif 000028
2019097855.tif 000029
2019097855.tif 000030